(57)【要約】【課題】発光素子アレイユニットから出射されレンズアレイを透過した光の結像点の位置、又はレンズアレイからの入射光を受光素子アレイユニットで受光する位置を容易に調整できるようにする。【解決手段】露光装置１は、第１の方向に配列された複数の発光素子（ＬＥＤで例示）を有する第１のＬＥＤアレイユニット１１ａが搭載された第１の基板１０ａと、その出射光を収束させる第１のレンズアレイ２０ａと、同方向において第１の基板１０ａに対して離間して配置され、同方向に配列された複数の発光素子を有する第２のＬＥＤアレイユニット１１ｂが搭載された第２の基板１０ｂと、その出射光を収束させる第２のレンズアレイ２０ｂと、それらを保持する保持部と、を備える。保持部は、第１のレンズアレイ２０ａと第１のＬＥＤアレイユニット１１ａとの間の距離を調整する調整機構を備える。読取装置は、上記発光素子を受光素子に置き換えることで構成できる。【選択図】図１
2017132182.tif 000002
【特許請求の範囲】
【請求項１】
第１の方向に配列された複数の発光素子を有する第１の発光素子アレイユニットが搭載された第１の基板と、
前記第１の発光素子アレイユニットから出射される光を収束させる第１のレンズアレイと、
前記第１の方向おいて前記第１の基板に対して離間して配置され、前記第１の方向に配列された複数の発光素子を有する第２の発光素子アレイユニットが搭載された第２の基板と、
前記第２の発光素子アレイユニットから出射される光を収束させる第２のレンズアレイと、
前記第１の基板、前記第１のレンズアレイ、前記第２の基板、及び前記第２のレンズアレイを保持する保持部と、
前記保持部に備えられ、前記第１のレンズアレイと前記第１の発光素子アレイユニットとの間の距離である第１の距離を調整する第１の調整機構と、
を備えることを特徴とする露光装置。
【請求項２】
前記第１の調整機構は、前記第１の基板の前記第１の方向の端部を、前記第１のレンズアレイに近づける方向及び前記第１のレンズアレイから遠ざける方向の少なくとも一方に変位させる機構であることを特徴とする請求項１に記載の露光装置。
【請求項３】
前記第１の調整機構は、前記第１の距離を調整する第１のネジ機構を有することを特徴とする請求項１又は２に記載の露光装置。
【請求項４】
前記第１の調整機構は、前記第１の距離を調整する第１のカム機構を有することを特徴とする請求項１又は２に記載の露光装置。
【請求項５】
前記保持部は、前記第１の基板の前記第１の方向の端部を前記第１のレンズアレイに近づける方向への変位、及び前記第１の基板の前記第１の方向の端部を前記第１のレンズアレイから遠ざける方向への変位のうち、少なくとも一方を許容する空間を有することを特徴とする請求項１から４のいずれか１項に記載の露光装置。
【請求項６】
前記第１の基板は、前記第１の基板の前記第１の方向の端部から、前記第１の発光素子アレイユニットに沿って延びる第１の切欠き部を有することを特徴とする請求項１から５いずれか１項に記載の露光装置。
【請求項７】
前記第１の発光素子アレイユニットは、前記第１の方向の一方の端部が前記第１の基板の前記第１の方向の端部から突出するように、前記第１の基板に搭載されていることを特徴とする請求項１から６のいずれか１項に記載の露光装置。
【請求項８】
前記第１の基板の前記第１の方向の端部は、前記第１の発光素子アレイユニットの前記第１の方向の一方の端部が搭載された第１の突出部を有することを特徴とする請求項１から６のいずれか１項に記載の露光装置。
【請求項９】
前記保持部に備えられ、前記第２のレンズアレイと前記第２の発光素子アレイユニットとの間の距離である第２の距離を調整する第２の調整機構をさらに備えることを特徴とする請求項１から８のいずれか１項に記載の露光装置。
【請求項１０】
前記第２の調整機構は、前記第２の基板の前記第１の方向の端部を、前記第２のレンズアレイに近づける方向及び前記第２のレンズアレイから遠ざける方向の少なくとも一方に変位させる機構であることを特徴とする請求項９に記載の露光装置。
【請求項１１】
前記第２の調整機構は、前記第２の距離を調整する第２のネジ機構を有することを特徴とする請求項９又は１０に記載の露光装置。
【請求項１２】
前記第２の調整機構は、前記第２の距離を調整する第２のカム機構を有することを特徴とする請求項９又は１０に記載の露光装置。
【請求項１３】
前記保持部は、前記第２の基板の前記第１の方向の端部を前記第２のレンズアレイに近づける方向への変位、及び前記第２の基板の前記第１の方向の端部を前記第２のレンズアレイから遠ざける方向への変位のうち、少なくとも一方を許容する空間を有することを特徴とする請求項９から１２のいずれか１項に記載の露光装置。
【請求項１４】
前記第２の基板は、前記第２の基板の前記第１の方向の端部から、前記第２の発光素子アレイユニットに沿って延びる第２の切欠き部を有することを特徴とする請求項９から１３のいずれか１項に記載の露光装置。
【請求項１５】
前記第２の発光素子アレイユニットは、前記第１の方向の一方の端部が前記第２の基板の前記第１の方向の端部から突出するように、前記第２の基板に搭載されていることを特徴とする請求項９から１４のいずれか１項に記載の露光装置。
【請求項１６】
前記保持部に備えられ、前記第２のレンズアレイと前記第２の発光素子アレイユニットとの間の距離である第２の距離を調整する第２の調整機構をさらに備え、
前記第２の基板の前記第１の方向の端部は、前記第２の発光素子アレイユニットの前記第１の方向の一方の端部が搭載された第２の突出部を有し、
前記保持部は、前記第１の突出部の前記第１の方向の突出範囲と前記第２の突出部の前記第１の方向の突出範囲とが少なくとも一部で重なるように、前記第１の基板及び前記第２の基板を保持する
ことを特徴とする請求項８に記載の露光装置。
【請求項１７】
前記第１の発光素子アレイユニットにおける複数の発光素子の第１の配列間隔は等間隔であり、
前記第２の発光素子アレイユニットにおける複数の発光素子の第２の配列間隔は等間隔であり、
前記第１の配列間隔と前記第２の配列間隔とは、等しい値であり、
前記保持部は、前記第１の発光素子アレイユニットの最も前記第２の基板側の発光素子と、前記第２の発光素子アレイユニットの最も前記第１の基板側の発光素子との、前記第１の方向の間隔が、前記値と等しくなるように、前記第１の基板及び前記第２の基板を保持する
ことを特徴とする請求項１から１６のいずれか１項に記載の露光装置。
【請求項１８】
前記発光素子は、発光ダイオードであることを特徴とする請求項１から１７のいずれか１項に記載の露光装置。
【請求項１９】
請求項１から１８のいずれか１項に記載の露光装置と、
前記露光装置により露光されて、静電潜像が形成される像担持体と、
を備えること特徴とする画像形成装置。
【請求項２０】
請求項１９に記載の画像形成装置を備えることを特徴とする複合装置。
【請求項２１】
第１の方向に配列された複数の受光素子を有する第１の受光素子アレイユニットが搭載された第１の基板と、
入射光を前記第１の受光素子アレイユニットに収束させる第１のレンズアレイと、
前記第１の方向おいて前記第１の基板に対して離間して配置され、前記第１の方向に配列された複数の受光素子を有する第２の受光素子アレイユニットが搭載された第２の基板と、
入射光を前記第２の受光素子アレイユニットに収束させる第２のレンズアレイと、
前記第１の基板、前記第１のレンズアレイ、前記第２の基板、及び前記第２のレンズアレイを保持する保持部と、
前記保持部に備えられ、前記第１のレンズアレイと前記第１の受光素子アレイユニットとの間の距離である第１の距離を調整する第１の調整機構と、
を備えることを特徴とする読取装置。
【請求項２２】
請求項２１に記載の読取装置を備えることを特徴とする複合装置。
【発明の詳細な説明】
【技術分野】
【０００１】
本発明は、複数の発光素子が配列された発光素子アレイユニットを備える露光装置、その露光装置を備える画像形成装置、その画像形成装置を備える複合装置、複数の受光素子が配列された受光素子アレイユニットを備える読取装置、及びその読取装置を備える複合装置に関するものである。
【背景技術】
【０００２】
従来、電子写真プロセスを採用する画像形成装置は、一様帯電された感光体ドラムに画像データに対応する光を照射して、感光体ドラム上に静電潜像を形成する露光装置を備えている。露光装置は、例えば、ＬＥＤ（発光ダイオード）ヘッドである。このＬＥＤヘッドは、一次元的に配列された複数の発光素子としての複数のＬＥＤを有するＬＥＤアレイユニットが搭載された基板（ＬＥＤユニット基板）と、この基板を支持する支持部材としてのベースと、ＬＥＤアレイユニットからの光を感光体ドラムの表面に収束させるためのレンズアレイと、そのレンズアレイを保持する保持部材としてのレンズホルダと、を備える。例えば、特許文献１は、２列のマイクロレンズが配列されたレンズアレイを備えたＬＥＤヘッドを開示している。
【０００３】
ＬＥＤヘッドでは、ＬＥＤアレイから出射（放射）された光が、レンズアレイによって結像され、感光体ドラムの表面を露光することによって、感光体ドラムの表面に静電潜像が形成される。
【０００４】
ところで、ＬＥＤヘッドは、搭載するＬＥＤアレイユニットの数又は搭載するＬＥＤアレイユニット上のＬＥＤチップの数を変えることによって、印刷に必要な露光幅に合わせることができる。従って、Ａ４サイズ又はＡ３サイズといった小型の印刷サイズに対応した短尺のＬＥＤヘッドだけではなく、Ａ１サイズ又はＡ０サイズといった大型の印刷サイズに対応した長尺のＬＥＤヘッドを製造することもできる。
【０００５】
また、長尺のＬＥＤユニット基板は、複数の短尺のＬＥＤユニット基板を並べることによって、低コストで製造することができる。例えば、特許文献２は、１本のレンズアレイに対して複数のＬＥＤユニット基板を並べたＬＥＤヘッドを開示している。また、長尺のレンズアレイは、短尺のレンズアレイを複数本並べることによって、低コストで製造することができる。
【先行技術文献】
【特許文献】
【０００６】
【特許文献１】特開２０１３−１０９３７０号公報
【特許文献２】特開２００４−１４８６９８号公報
【発明の概要】
【発明が解決しようとする課題】
【０００７】
しかしながら、従来のように、複数のＬＥＤユニット基板を並べたり、複数のレンズアレイを並べたりすることで、長尺のＬＥＤヘッドを製造した場合、ＬＥＤユニット基板の厚さのばらつき、ＬＥＤアレイ（ＬＥＤアレイチップ）の厚さのばらつき、又はレンズアレイの物体像面間距離である共役長（Ｔｏｔａｌ  Ｃｏｎｊｕｇａｔｅ  Ｌｅｎｇｔｈ：ＴＣ）のばらつきにより、隣接するＬＥＤユニット基板のつなぎ目及び隣接するレンズアレイのつなぎ目において、レンズアレイの感光体ドラム側の面から結像点までの距離に差が生じる。すなわち、このように長尺のＬＥＤヘッドを製造した場合、上記つなぎ目を挟む２つのＬＥＤから出射される光について、感光体ドラム上でのスポット径（結像サイズ）が異なるようになる。そして、印刷媒体上の上記つなぎ目に対応する部分において印字濃度の差（濃淡）が目立ち、印字品質が低下する。
【０００８】
また、露光装置における発光素子を受光素子に置き換えるなどにより、複数の受光素子を有する受光ユニット基板及びレンズアレイを備えた読取装置を構成することができる。このような読取装置においても、同様に受光ユニット基板及びレンズアレイを並べた際には、隣接する受光ユニット基板のつなぎ目及び隣接するレンズアレイのつなぎ目において、レンズアレイにおける光の入射面から受光素子までの距離に差が生じ、読取精度の差が目立つことになる。
【０００９】
本発明は、上述のごとき実状に鑑みてなされたものであり、その目的は、発光素子アレイユニットから出射されレンズアレイを透過した光の結像点の位置を容易に調整することができる露光装置、その露光装置を備える画像形成装置、及びその画像形成装置を備える複合装置を提供することにある。
また、本発明の他の目的は、レンズアレイからの入射光を受光素子アレイユニットで受光する位置を容易に調整することができる読取装置、及びその読取装置を備える複合装置を提供することにある。
【課題を解決するための手段】
【００１０】
本発明の一態様に係る露光装置は、第１の方向に配列された複数の発光素子を有する第１の発光素子アレイユニットが搭載された第１の基板と、前記第１の発光素子アレイユニットから出射される光を収束させる第１のレンズアレイと、前記第１の方向おいて前記第１の基板に対して離間して配置され、前記第１の方向に配列された複数の発光素子を有する第２の発光素子アレイユニットが搭載された第２の基板と、前記第２の発光素子アレイユニットから出射される光を収束させる第２のレンズアレイと、前記第１の基板、前記第１のレンズアレイ、前記第２の基板、及び前記第２のレンズアレイを保持する保持部と、前記保持部に備えられ、前記第１のレンズアレイと前記第１の発光素子アレイユニットとの間の距離である第１の距離を調整する第１の調整機構と、を備えることを特徴とする。
【００１１】
本発明の一態様に係る画像形成装置は、前記露光装置と、前記露光装置により露光されて、静電潜像が形成される像担持体と、を備えること特徴とする。
本発明の一態様に係る複合装置は、前記画像形成装置を備えることを特徴とする。
【００１２】
本発明の一態様に係る読取装置は、第１の方向に配列された複数の受光素子を有する第１の受光素子アレイユニットが搭載された第１の基板と、入射光を前記第１の受光素子アレイユニットに収束させる第１のレンズアレイと、前記第１の方向おいて前記第１の基板に対して離間して配置され、前記第１の方向に配列された複数の受光素子を有する第２の受光素子アレイユニットが搭載された第２の基板と、入射光を前記第２の受光素子アレイユニットに収束させる第２のレンズアレイと、前記第１の基板、前記第１のレンズアレイ、前記第２の基板、及び前記第２のレンズアレイを保持する保持部と、前記保持部に備えられ、前記第１のレンズアレイと前記第１の受光素子アレイユニットとの間の距離である第１の距離を調整する第１の調整機構と、を備えることを特徴とする。
本発明の他の態様に係る複合装置は、前記読取装置を備えることを特徴とする。
【発明の効果】
【００１３】
本発明の一態様によれば、露光装置において、発光素子アレイユニットとレンズアレイとの間の距離を調整する機構を持たせているため、発光素子アレイユニットから出射されレンズアレイを透過した光の結像点の位置を容易に調整することが可能になる。
また、本発明の他の態様によれば、読取装置において、レンズアレイからの入射光を受光素子アレイユニットで受光する位置を容易に調整することが可能になる。
【図面の簡単な説明】
【００１４】
【図１】本発明の実施の形態１に係る露光装置の一構成例を概略的に示す断面図である。
【図２】図１に示される露光装置におけるＬＥＤユニット基板を概略的に示す上面図である。
【図３】図１に示される露光装置をＩ−Ｉ線で切った断面を示す断面図である。
【図４】本発明の実施の形態２に係る露光装置におけるＬＥＤユニット基板及び調整機構の一例を概略的に示す上面図である。
【図５】図４に示されるＬＥＤユニット基板及び調整機構を−Ｙ方向に見た図である。
【図６】本発明の実施の形態３に係る露光装置におけるＬＥＤユニット基板の一例を概略的に示す上面図である。
【図７】本発明の実施の形態３に係る露光装置の一断面（図３の断面に対応する断面）を示す図である。
【図８】本発明の実施の形態４に係る露光装置におけるＬＥＤユニット基板の一例を概略的に示す上面図である。
【図９】本発明の実施の形態５に係る画像形成装置の一構成例を概略的に示す縦断面図である。
【図１０】本発明の実施の形態６に係る読取装置を備えた原稿読取装置の一構成例を概略的に示す縦断面図である。
【図１１】図１０に示される原稿読取装置における読取装置の一構成例を概略的に示す縦断面図である。
【発明を実施するための形態】
【００１５】
以下に、本発明の実施の形態を、図面を参照して説明する。図には、ＸＹＺ直交座標系の座標軸が示される。Ｘ軸は、実施の形態に係る露光装置又は読取装置の長手方向（複数の発光素子又は受光素子の配列方向、画像形成装置又は原稿読取装置における主走査方向）の座標軸である。Ｙ軸は、その露光装置又は読取装置の短手方向（幅方向、画像形成装置又は原稿読取装置における副走査方向）の座標軸である。Ｚ軸は、その露光装置又は読取装置の高さ方向（その露光装置から出射される光の進行方向の逆方向又はその読取装置に入射される光の進行方向）の座標軸である。
【００１６】
《１》実施の形態１
図１は、実施の形態１に係る露光装置の一構成例を概略的に示す断面図である。図２は、図１に示される露光装置１におけるＬＥＤユニット基板を概略的に示す上面図、図３は、図１に示される露光装置１をＩ−Ｉ線で切った断面を示す断面図である。ここで、図２及び図３は、ＬＥＤユニット基板同士の境界付近を示している。
【００１７】
図１に示される露光装置１は、発光素子から出射（放射）される光により、例えば像担持体としての感光体ドラム１１３の表面を露光する装置（光書き込みヘッド）である。以下、実施の形態１及び後述の他の実施の形態においては、この発光素子は、半導体発光素子の一例であるＬＥＤである。この場合、露光装置１は、半導体発光装置又はＬＥＤヘッド（ＬＥＤプリントヘッド）とも称される。
【００１８】
図１に示されるように、露光装置１は、第１の発光素子アレイユニットの例である第１のＬＥＤアレイユニット１１ａが搭載された第１の基板（第１のＬＥＤユニット基板）１０ａと、第１のＬＥＤアレイユニット１１ａから出射される光を収束させる第１のレンズアレイ２０ａと、を備えている。
【００１９】
第１の基板１０ａは、例えばガラスエポキシ樹脂材からなる基板である。第１の基板１０ａには、第１のＬＥＤアレイユニット１１ａが、例えばエポキシ系の絶縁性接着剤により接着されることで、固定されている。第１のＬＥＤアレイユニット１１ａと、第１の基板１０ａ上の配線パターンとは、例えば、図示しないボンディングワイヤにより電気的に接続されている。
【００２０】
第１のＬＥＤアレイユニット１１ａには、図２に示されるように、複数のＬＥＤ（第１のＬＥＤ）１２ａが第１の方向に配列されている。この第１の方向は、Ｘ軸方向に該当する。第１の基板１０ａの長手方向は、搭載された第１のＬＥＤアレイユニット１１ａの長手方向であるＸ軸方向と同じ方向である。また、図２に示されるように、第１のＬＥＤアレイユニット１１ａにおける複数のＬＥＤ１２ａの中心（光軸位置）の配列間隔（第１の配列間隔）を等間隔（間隔Ｘ０）とすることで、第１のＬＥＤアレイユニット１１ａの各ＬＥＤ１２ａから出射される光のＸ軸方向における焦点位置を等間隔にすることができ、その光の結像点（集光点）のＸ軸方向の位置を等間隔にすることができる。また、第１のＬＥＤアレイユニット１１ａは、ＬＥＤアレイチップとして構成することができる。複数のＬＥＤ１２ａは、例えば第１の基板１０ａ又は第１のＬＥＤアレイユニット１１ａ等に搭載された駆動回路（図示せず）により駆動される。
【００２１】
また、図２に示されるように、第１の基板１０ａ上には、複数の第１のＬＥＤアレイユニット１１ａをＸ軸方向に並べて設置することができる。その場合、複数の第１のＬＥＤアレイユニット１１ａは、互いに隣り合う２つの第１のＬＥＤアレイユニット１１ａの最も端にあるＬＥＤ１２ａ間の間隔がＸ０になるように、第１の基板１０ａ上に配置され、固定される。
【００２２】
第１のレンズアレイ２０ａは、１又は複数の第１のＬＥＤアレイユニット１１ａに搭載された複数のＬＥＤ１２ａから放射される光を収束させるレンズアレイであり、例えば、正立等倍結像を行うロッドレンズアレイ又はマイクロレンズアレイなどとして構成することができる。第１のレンズアレイ２０ａは、図１に示されるように第１のＬＥＤアレイユニット１１ａに対向するＹ軸方向位置（より具体的には、配列された複数のＬＥＤ１２ａに対向するＹ軸方向位置）に配置されている。これにより、第１のレンズアレイ２０ａは、第１のＬＥＤアレイユニット１１ａから出射された光を収束させることができる。
【００２３】
また、図１に示されるように、露光装置１は、第２の発光素子アレイユニットの例である第２のＬＥＤアレイユニット１１ｂが搭載された第２の基板（第２のＬＥＤユニット基板）１０ｂと、第２のＬＥＤアレイユニット１１ｂから出射される光を収束させる第２のレンズアレイ２０ｂと、をさらに備えている。第２の基板１０ｂは、第１の方向において第１の基板１０ａに対して離間して（離間させるようにずらした位置に）配置される。これにより、露光装置１を長尺のＬＥＤヘッドとして構成することができる。例えば、露光装置１において、Ａ３サイズに対応する長さの第１の基板１０ａとＡ３サイズに対応する長さの第２の基板１０ｂを並べ（第２の基板１０ｂは、第１の基板１０ａに対してＸ方向に離間して配置されている）、それらに対応する第１のレンズアレイ２０ａと第２のレンズアレイ２０ｂを並べて配置することで、露光装置１は、Ａ１サイズに対応した露光を行うことが可能になる。なお、Ａ３サイズに対応する長さの第１の基板１０ａとは、第１の基板１０ａに搭載されている第１のＬＥＤアレイユニット１１ａ（１又は複数の第１のＬＥＤアレイユニット１１ａ）におけるＬＥＤ１２ａの配列長がＡ３サイズ（Ａ３サイズの横の長さ又はＡ３サイズの縦の長さ）になっていることを指す。Ａ３サイズの第２の基板１０ｂについても同様である。
【００２４】
以下、露光装置１が、第１のＬＥＤアレイユニット１１ａ、第１の基板１０ａ、及び第１のレンズアレイ２０ａと、第２のＬＥＤアレイユニット１１ｂ、第２の基板１０ｂ、及び第２のレンズアレイ２０ｂとを有する例を説明する。但し、露光装置１は、ＬＥＤアレイユニット、ＬＥＤユニット基板、及びレンズアレイをさらに並べてもよい。このように、露光装置１は、複数枚のＬＥＤユニット基板及び複数のレンズアレイが並ぶ構成を採用することで、長尺のＬＥＤヘッドとして用いることができる。但し、並べるＬＥＤユニット基板及びレンズアレイの長さを短くすることで、露光装置１は、短尺のＬＥＤヘッドとして用いることもできる。
【００２５】
第２の基板１０ｂは、第１の基板１０ａと同様に、例えばガラスエポキシ樹脂材からなる基板である。第２の基板１０ｂには、１又は複数の第２のＬＥＤアレイユニット１１ｂが固定されている。第２のＬＥＤアレイユニット１１ｂは、第１のＬＥＤアレイユニット１１ａと同様に、第１の方向（Ｘ軸方向）に、第２の配列間隔で配列された複数のＬＥＤ（第２のＬＥＤ）１２ｂを有する。第２の配列間隔は、第１の配列間隔（間隔Ｘ０）と等しい。これにより、各ＬＥＤ１２ｂから出射される光のＸ軸方向における焦点位置の間隔を、各ＬＥＤ１２ａから出射される光のＸ軸方向における焦点位置の間隔と等しくすることができる。また、複数のＬＥＤ１２ｂは、複数のＬＥＤ１２ａと同様に、例えば第２の基板１０ｂ又は第２のＬＥＤアレイユニット１１ｂに搭載された駆動回路（図示せず）により駆動される。
【００２６】
また、図２に示されるように、第２の基板１０ｂ上に複数の第２のＬＥＤアレイユニット１１ｂをＸ軸方向に並べて設置する場合、互いに隣り合う第２のＬＥＤアレイユニット１１ｂの最も端にあるＬＥＤ（すなわち、互いに対向する２つのＬＥＤ）１２ｂ間の間隔もＸ０になるように設置される。これにより、隣り合う第２のＬＥＤアレイユニット１１ｂ間のつなぎ目の部分において、Ｘ軸方向における焦点位置の配置を等間隔にすることができる。
【００２７】
第２のレンズアレイ２０ｂは、第１のレンズアレイ２０ａと同様の構成を有し、複数のＬＥＤ１２ｂから放射させる光を収束させる。第２のレンズアレイ２０ｂは、図１に示されるように、第２のＬＥＤアレイユニット１１ｂに対向する位置（Ｘ軸方向及びＹ軸方向の位置）に配置されている。これにより、第２のレンズアレイ２０ｂは、第２のＬＥＤアレイユニット１１ｂから出射された光を収束させることができる。
【００２８】
第１のレンズアレイ２０ａを透過した光と第２のレンズアレイ２０ｂを透過した光とは、感光体ドラム１１３の表面において、Ｙ軸方向における同じ位置に収束されることが望ましい。そのため、第１のレンズアレイ２０ａ及び第２のレンズアレイ２０ｂは、互いの光軸が感光体ドラム１１３の表面で交差するように、互いに傾けて設置されるか、又は、内部構造（光学部品の形状及び配置）を互いの光軸が感光体ドラム１１３の表面で交差するような構造とすればよい。
【００２９】
但し、第１のレンズアレイ２０ａを透過した光と第２のレンズアレイ２０ｂを透過した光とは、感光体ドラム１１３の表面において、Ｙ軸方向における異なる位置に収束されてもよい。その場合、例えば、露光時における感光体ドラム１１３の回転速度を考慮して、第１のＬＥＤアレイユニット１１ａと第２のＬＥＤアレイユニット１１ｂとで光の出射のタイミングをずらすように制御する。これにより、第１のレンズアレイ２０ａを透過した光による書き込み位置と第２のレンズアレイ２０ｂを透過した光による書き込み位置とを、感光体ドラム１１３上の周方向における同じ位置にすることができる。
【００３０】
また、露光装置１は、第１の基板１０ａ、第１のレンズアレイ２０ａ、第２の基板１０ｂ、及び第２のレンズアレイ２０ｂを保持する保持部をさらに備えている。この保持部は、例えば、図１に示されるように、主にベース４０、レンズホルダ４１、及びカバー４２で構成される保持部４３である。ベース４０は、第１の基板１０ａ及び第２の基板１０ｂを支持する支持部材の一例である。レンズホルダ４１は、第１のレンズアレイ２０ａ及び第２のレンズアレイ２０ｂを保持する保持部材の一例である。
【００３１】
まず、この保持部の特徴について説明し、その具体例である図１に示されるベース４０、レンズホルダ４１、及びカバー４２で構成される保持部４３の詳細については後述する。この保持部は、第１のＬＥＤアレイユニット１１ａから出射される光を第１のレンズアレイ２０ａにより例えば感光体ドラム１１３の表面上に収束可能なように、第１の基板１０ａ及び第１のレンズアレイ２０ａを保持する。また、この保持部は、第２のＬＥＤアレイユニット１１ｂから出射される光を第２のレンズアレイ２０ｂにより例えば感光体ドラム１１３の表面上に収束可能なように、第２の基板１０ｂ及び第２のレンズアレイ２０ｂを保持する。
【００３２】
この保持部は、図２に示されるＬＥＤ１２ａａの中心とＬＥＤ１２ｂａの中心とのＸ軸方向の間隔Ｘ１が、間隔Ｘ０と等しくなるように、第１の基板１０ａ及び第２の基板１０ｂを保持することが好ましい。ここで、ＬＥＤ１２ａａは、第１の基板１０ａに搭載された最も第２の基板１０ｂ側の第１のＬＥＤアレイユニット１１ａにおける複数のＬＥＤ１２ａのうちの、最も第２の基板１０ｂ側のＬＥＤを指す。また、ＬＥＤ１２ｂａは、第２の基板１０ｂに搭載された最も第１の基板１０ａ側の第２のＬＥＤアレイユニット１１ｂにおける複数のＬＥＤ１２ｂのうちの、最も第１の基板１０ａ側のＬＥＤを指す。間隔Ｘ１を間隔Ｘ０と同じにするために、図２に示されるように、最も第２の基板１０ｂ側の第１のＬＥＤアレイユニット１１ａの第２の基板１０ｂ側の端面１１ａａは、最も第１の基板１０ａ側の第２のＬＥＤアレイユニット１１ｂの第１の基板１０ａ側の端面１１ｂａよりも、Ｘ軸方向の位置を第２の基板１０ｂ側になってもよい。
【００３３】
これにより、第１の基板１０ａと第２の基板１０ｂとの境界付近においても、Ｘ軸方向における焦点位置を等間隔にすることができる。なお、等間隔とは、組み立て誤差を考慮すれば、ほぼ等間隔（つまり、Ｘ１とＸ０とがほぼ等しい）を含む。換言すると、第２の基板１０ｂは、第１の方向において第１の基板１０ａに対してＸ１とＸ０がほぼ等しくなるようにずらした位置に配置すればよい。
【００３４】
また、図２に示されるように、第１の基板１０ａと第２の基板１０ｂは、第１の基板１０ａのＸ軸方向の一方の端面１０ａａと第２の基板１０ｂのＸ軸方向の一方の端面１０ｂａとが互いに向かい合う（対向する）ように、配列させることができる。上述の保持部は、このような配列状態のまま、第１の基板１０ａ及び第２の基板１０ｂを保持することが望ましい。ここで、端面１０ａａと端面１０ｂａとが接触すると、間隔Ｘ１が調整し難くなる。よって、上述の保持部は、端面１０ａａと端面１０ｂａとが離間するように第１の基板１０ａ及び第２の基板１０ｂを保持することが好ましい。
【００３５】
そのため、図２に示されるように、第１のＬＥＤアレイユニット１１ａは、Ｘ軸方向の一方の端部（端面１１ａａを含む端部）が第１の基板１０ａのＸ軸方向の端部（具体的には、第２の基板１０ｂ側の端部の端面１０ａａ）から突出するように（図２の＋Ｘ方向に突出するように）、第１の基板１０ａに搭載することが好ましい。但し、突出させる長さ（突出長）を短くすることで、第１の基板１０ａから突出する第１のＬＥＤアレイユニット１１ａの領域に配置されたＬＥＤ１２ａａと第１の基板１０ａとを接続するボンディングワイヤが、第１の基板１０ａに固着されていない範囲を少なくすることができ、その結果、接続強度の低下を低減することができる。突出長は、第１のＬＥＤアレイユニット１１ａのＸ軸方向における幅の半分以下とするのが好ましい。例えば、第１のＬＥＤアレイユニット１１ａのＸ軸方向における幅を８ｍｍとすると、突出長は、例えば０．５ｍｍ程度とする。
【００３６】
第２の基板１０ｂについても同様である。すなわち、図２に示されるように、第２のＬＥＤアレイユニット１１ｂは、Ｘ軸方向の一方の端部（端面１１ｂａを含む端部）が第２の基板１０ｂのＸ軸方向の端部（具体的には、第１の基板１０ａ側の端部の端面１０ｂａ）から突出するように（図２の−Ｘ方向に突出するように）、第２の基板１０ｂに搭載することが好ましい。但し、第１のＬＥＤアレイユニット１１ａ及び第２のＬＥＤアレイユニット１１ｂのいずれか一方のみが、Ｘ軸方向の基板端部から突出するように構成することもできる。その場合にも、第１の基板１０ａと第２の基板１０ｂの互いに対向する端面１０ａａ，１０ｂａ同士を接触させずに（互いに間隔をあけて）、互いに隣接するＬＥＤ１２ａａの中心とＬＥＤ１２ｂａの中心とのＸ軸方向の間隔Ｘ１が間隔Ｘ０と等しく設置することは可能である。
【００３７】
また、図２に示されるように、露光装置１においては、第１のＬＥＤアレイユニット１１ａと第２のＬＥＤアレイユニット１１ｂとのＹ軸方向の位置が互いに異なる。つまり、露光装置１では、第１のＬＥＤアレイユニット１１ａと第２のＬＥＤアレイユニット１１ｂとが一直線上に配列されておらず、ＬＥＤ１２ａのＹ軸方向の位置とＬＥＤ１２ｂのＹ軸方向の位置とは異なり、間隔Ｙ１を有する。この理由は、第１のＬＥＤアレイユニット１１ａの端面１１ａａ側の端部と第２のＬＥＤアレイユニット１１ｂの端面１１ｂａ側の端部が接触しないようにし、間隔Ｘ１の調整をし易くするためである。また、第１のレンズアレイ２０ａ及び第２のレンズアレイ２０ｂも、一直線上に配列されておらず、互いのレンズの中心のＹ軸方向の位置を間隔Ｙ１だけ異ならせるように（互いのレンズの中心間の距離が間隔Ｙ１と等しくなるように）、上述の保持部によって保持されている。
【００３８】
次に、上述の保持部について、ベース４０、レンズホルダ４１、及びカバー４２で構成される保持部４３を挙げながら詳細に説明する。ベース４０は、例えば、熱伝導性の良いアルミニウム等の金属を材料とし、押し出し形成によって形成されることができる。
【００３９】
ベース４０は、第１の基板１０ａ及び第２の基板１０ｂを搭載し、取り付けるための平坦な面（搭載面）を有する。第１のＬＥＤアレイユニット１１ａが搭載された第１の基板１０ａ、及び第２のＬＥＤアレイユニット１１ｂが搭載された第２の基板１０ｂは、上述したように、ＬＥＤ１２ａａの中心とＬＥＤ１２ｂａの中心の間のＸ軸方向の間隔（距離）Ｘ１が間隔Ｘ０と等しくなる、又は間隔Ｘ０との差が規格内に収まるように、位置決めされてベース４０の搭載面に搭載され、その状態で取り付けられる。
【００４０】
例えば、画像形成装置に解像度６００ｄｐｉで印字させる機能を持たせる場合、Ｘ軸方向に４２．３μｍの間隔でＬＥＤ１２ａ，１２ｂを並べる必要がある。よって、この場合、間隔Ｘ１が例えば４２．３±６μｍとなるように、第１の基板１０ａ及び第２の基板１０ｂがベース４０の面（搭載面）に取り付けられる。
【００４１】
また、第１の基板１０ａ及び第２の基板１０ｂにおけるＹ軸方向の位置決めは、例えば次のように行う。すなわち、まず、実際に露光装置１に使用するレンズホルダ４１及び第１のレンズアレイ２０ａ及び第２のレンズアレイ２０ｂについて、レンズホルダ４１に取り付けられた第１のレンズアレイ２０ａ及び第２のレンズアレイ２０ｂのＹ軸方向のレンズ中心間の距離を予め測定しておく。この測定結果を例えば３．８ｍｍとする。そして、ＬＥＤ１２ａの中心とＬＥＤ１２ｂのＹ軸方向の距離（間隔）Ｙ１が、上記レンズ中心間の距離と等しくなるように、又はその距離との差が規定内に収まるように（例えば３．８ｍｍ±１０μｍとなるように）、Ｙ軸方向の位置決めがなされ、第１の基板１０ａ及び第２の基板１０ｂがベース４０の搭載面に取り付けられる。
【００４２】
このような第１の基板１０ａ及び第２の基板１０ｂの位置決め及び取り付けのために、第１の基板１０ａ及び第２の基板１０ｂには位置決め用として複数の孔（位置決め孔）が形成され、ベース４０の搭載面にはそれらの位置決め孔に対応する位置に複数のネジ穴が形成されている。また、第１の基板１０ａ及び第２の基板１０ｂは、ベース４０の搭載面に直接搭載されるのではなく、例えばＰＥＴ等の樹脂フィルムからなる絶縁シート４０ａが搭載面に搭載された後、その絶縁シート４０ａの上に搭載される。絶縁シート４０ａは、ベース４０と第１の基板１０ａ及び第２の基板１０ｂのスルーホールとの電気的なショートを防止することを目的として、ベース４０と第１の基板１０ａ及び第２の基板１０ｂとの間に挿入される。また、絶縁シート４０ａには、複数の位置決め孔に対応する位置に複数の孔が形成されている。
【００４３】
レンズホルダ４１は、例えば、熱伝導性の良いアルミニウム等の金属を材料とし、押し出し形成によって形成されることができる。第１のレンズアレイ２０ａ及び第２のレンズアレイ２０ｂは、レンズホルダ４１の最適な位置に接着剤で固定されている。その最適な位置とは、距離Ｌｉと距離Ｌｏが等しくなる位置を指す。ここで、距離Ｌｉは、第１のＬＥＤアレイユニット１１ａの表面から（具体的にはＬＥＤ１２ａの発光面から）第１のレンズアレイ２０ａの光の入射端面までの距離を指し、距離Ｌｏは、第１のレンズアレイ２０ａの光の出射端面から像が結像する結像点の位置（フォーカス位置）までの距離を指す。第２のＬＥＤアレイユニット１１ｂについての最適な位置についても、第１のＬＥＤアレイユニット１１ａと同様である。なお、第２のＬＥＤアレイユニット１１ｂの表面とは、具体的にはＬＥＤ１２ｂの発光面を指す。このように、第１のレンズアレイ２０ａ及び第２のレンズアレイ２０ｂは、距離Ｌｉと距離Ｌｏが等しくなるようなレンズホルダ４１の位置に配されるように調整され、接着剤で固定されることで、レンズホルダ４１に保持される。
【００４４】
また、図１に示されるように第１のレンズアレイ２０ａ及び第２のレンズアレイ２０ｂを並べる場合、ＬＥＤ１２ａから出射された光が結像されるまでの距離とＬＥＤ１２ｂから出射された光が結像されるまでの距離とを等しくするため、第１のレンズアレイ２０ａ及び第２のレンズアレイ２０ｂとしては、互いにＴＣ値が等しいもの、又は互いのＴＣ値が規定内の差に収まるものを採用する。
【００４５】
また、レンズホルダ４１は、第１の基板１０ａに形成された複数の位置決め孔の一部、及び第２の基板１０ｂに形成された複数の位置決め孔の一部に対応する位置に形成された複数の貫通孔を有する。
【００４６】
そして、レンズホルダ４１は、第１のＬＥＤアレイユニット１１ａと第１のレンズアレイ２０ａとの光軸及び第２のＬＥＤアレイユニット１１ｂと第２のレンズアレイ２０ｂとの光軸が最適な位置になるように、換言すれば、それらのＹ軸方向の位置が最適な位置になるように、調整を行い、ベース４０に固定される。この調整は、例えばＣＣＤ（電荷結合素子）カメラを用いて、ＬＥＤ１２ａ，１２ｂの発光位置、第１のレンズアレイ２０ａの位置、及び第２のレンズアレイ２０ｂの位置を観測しながら、ＬＥＤ１２ａの発光位置が第１のレンズアレイ２０ａのＹ軸方向の中心にくるように且つＬＥＤ１２ｂの発光位置が第２のレンズアレイ２０ｂのＹ軸方向の中心にくるようになされる。レンズホルダ４１は、このような位置調整がなされた状態でネジ４４によりベース４０に固定される。ネジ４４は、レンズホルダ４１とベース４０との間に、絶縁シート４０ａと第１の基板１０ａ及び第２の基板１０ｂとを挟みこんで固定する構造となっている。例えば、第１の基板１０ａ及び第２の基板１０ｂに形成された位置決め孔をネジ４４の径より大きくしておくことで、このような位置調整が可能になる。
【００４７】
レンズホルダ４１が第１の基板１０ａと接触して第１の基板１０ａを押圧する領域（接触領域）は、例えば図２に示されるように、Ｙ軸方向において第１の基板１０ａの一方の端部で且つＸ軸方向において境界付近より中央部分寄りの位置（第１の基板１０ａのＸ軸方向における端部から所定距離離れた位置）にある領域１３ａａとする。レンズホルダ４１と第２の基板１０ｂとの接触領域は、例えば図２に示されるように、Ｙ軸方向において第２の基板１０ｂの一方の端部で且つＸ軸方向において境界付近より中央部分寄りの位置（第２の基板１０ｂのＸ軸方向における端部から所定距離離れた位置）にある領域１３ｂａとする。つまり、レンズホルダ４１のベース４０側の面は、領域１３ａａ，１３ｂａにおいて第１の基板１０ａ及び第２の基板１０ｂと接触できるように形成されている。また、図２に示される領域１３ａｂ，１３ｂｂは、第１の基板１０ａ及び第２の基板１０ｂにおける領域であって、カバー４２と直接又は別途設けた部材を介して接触する接触領域を指す。
【００４８】
このように、第１の基板１０ａ及び第２の基板１０ｂは、これらの領域１３ａａ，１３ｂａ，１３ａｂ，１３ｂｂによって、ベース４０の搭載面に絶縁シート４０ａを介して押さえられた状態で固定される。換言すると、第１の基板１０ａは、領域１３ａａ，１３ａｂを固定端とし端部としての端面１０ａａが自由端となり、第２の基板１０ｂは、領域１３ｂａ，１３ｂｂを固定端とし端部としての端面１０ｂａが自由端となる。第１の基板１０ａ及び第２の基板１０ｂにおけるレンズホルダ４１及びカバー４２との接触領域は、図２で示される領域１３ａａ，１３ｂａ，１３ａｂ，１３ｂｂに限定されるものではなく、後述する第１の調整機構及び第２の調整機構による調整を妨げない領域であればよい。例えば、第１の基板１０ａにおける接触領域は、Ｙ軸方向の端部における、Ｘ軸方向の第２の基板１０ｂ側の端部（つまり境界付近の端部）を除いた全領域としてもよい。第２の基板１０ｂにおける接触領域についても同様である。
【００４９】
また、カバー４２は、第１の基板１０ａ及び第２の基板１０ｂ等に異物が付着すること、並びに第１のレンズアレイ２０ａ及び第２のレンズアレイ２０ｂの入射面に外光が入射しないようにすることなどを目的として、ベース４０の一部等を覆う被覆部材である。図１で示されるカバー４２は、ネジ４５，４６，４７によってベース４０に取り付けられている。また、カバー４２と第１のレンズアレイ２０ａ及び第２のレンズアレイ２０ｂとの間の隙間は、シリコン樹脂などの封止剤４８によって埋め、露光装置１の内部に異物が入ってくることを防止している。また、他の位置においても隙間が生じることがあるが、他の隙間についても、同様に封止剤によって埋められる。
【００５０】
また、図１に示されるように、露光装置１は、インターフェース基板３０を備えることができる。インターフェース基板３０は、複数のＬＥＤ１２ａ（ＬＥＤ１２ａａを含む）及び複数のＬＥＤ１２ｂ（ＬＥＤ１２ｂａを含む）を点灯させるために、露光装置１が搭載される画像形成装置の制御部（図示せず）から送られてくる制御信号を受け、その制御信号を第１の基板１０ａ及び第２の基板１０ｂへ送る中継を行う回路を搭載した基板である。このような回路としては、上記制御部との接続のためのコネクタ３２と、図示しない抵抗やコンデンサ、インターフェース用ＩＣなどの他の電子部品３３が挙げられる。インターフェース基板３０は、図１に示されるように、例えばベース４０の側面に形成した位置決め用の凹部（ガイド部）に挿入され、位置決めされた後にネジ４９で固定されることで、ベース４０に固定される。また、カバー４２は、このインターフェース基板３０に搭載されている電子部品の保護の役割も果たしている。
【００５１】
次に、実施の形態１に係る露光装置１の主な特徴について説明する。
露光装置１は、Ｚ軸方向における第１のレンズアレイ２０ａと第１のＬＥＤアレイユニット１１ａとの間の距離である第１の距離を調整する第１の調整機構を備えている。この第１の調整機構は、上述の保持部に備えられている。なお、第１の距離は、Ｚ軸方向の距離を指し、換言すれば第１の基板１０ａにおける第１のＬＥＤアレイユニット１１ａが搭載された面（主面と称す）に垂直な方向の距離を指す。第１の調整機構により第１の距離を調整することで、光が第１のレンズアレイ２０ａを通過してから結像するまでの距離（つまり距離Ｌｏ）を調整することができる。特に、第１の距離は、第１のレンズアレイ２０ａと、複数のＬＥＤ１２ａの発光面との距離を指し、調整対象は、第１のレンズアレイ２０ａと図２に示される第１のＬＥＤアレイユニット１１ａの端面１１ａａに最も近いＬＥＤ１２ａａの発光面との距離を少なくとも含む。
【００５２】
また、露光装置１は、Ｚ軸方向における第２のレンズアレイ２０ｂと第２のＬＥＤアレイユニット１１ｂとの間の距離である第２の距離を調整する第２の調整機構を備えることもできる。このように、第２の距離は、第１の距離と同様にＺ軸方向の距離を指す。特に、第２の距離は、第２のレンズアレイ２０ｂと、複数のＬＥＤ１２ｂの発光面との距離を指し、調整対象は、第２のレンズアレイ２０ｂと、図２に示される第２のＬＥＤアレイユニット１１ｂの端面１１ｂａに最も近いＬＥＤ１２ｂａの発光面との距離を少なくとも含む。この第２の調整機構も、第１の調整機構と同様に、上述の保持部に備えられている。第２の調整機構により第２の距離を調整することで、光が第２のレンズアレイ２０ｂを通過してから結像するまでの距離を調整することができる。
【００５３】
以下では、第１の調整機構及び第２の調整機構として、第１のレンズアレイ２０ａ及び第２のレンズアレイ２０ｂを固定し、第１のＬＥＤアレイユニット１１ａを搭載した第１の基板１０ａ及び第２のＬＥＤアレイユニット１１ｂを搭載した第２の基板１０ｂのＺ軸方向の位置を調整する機構を挙げて説明する。
【００５４】
但し、第１の調整機構は、例えばレンズホルダに第１のレンズアレイ２０ａ及び第２のレンズアレイ２０ｂを昇降させる機構又はそれらの境界付近の端部を押圧して湾曲させるネジ機構等の機構を設けるなどにより、第１のレンズアレイ２０ａのＺ軸方向の位置を調整する機構とすることができる。同様に、第２の調整機構は、第２のレンズアレイ２０ｂのＺ軸方向の位置を調整する機構とすることができる。なお、第１の調整機構は、第１の基板１０ａのＺ軸方向の位置及び第１のレンズアレイ２０ａのＺ軸方向の位置を調整する機構とすることもでき、第２の調整機構は、第２の基板１０ｂのＺ軸方向の位置及び第２のレンズアレイ２０ｂのＺ軸方向の位置を調整する機構とすることもできる。
【００５５】
第１の調整機構は、第１の基板１０ａのＸ軸方向の端部を、第１のレンズアレイ２０ａに近づける方向及び第１のレンズアレイ２０ａから遠ざける方向の少なくとも一方に変位させる機構とすることができる。同様に、第２の調整機構は、第２の基板１０ｂのＸ軸方向の端部を、第２のレンズアレイ２０ｂに近づける方向及び第２のレンズアレイ２０ｂから遠ざける方向の少なくとも一方に変位させる機構とすることができる。
【００５６】
第１の調整機構は、第１の距離を調整する第１のネジ機構を有することができる。図１及び図３に示されるように、第１のネジ機構５０ａは、例えば、ベース４０に形成されたネジ穴５１ａと、ネジ穴５１ａに螺合する調整用のネジ５２ａと、を有することができる。ネジ穴５１ａは、ベース４０の搭載面まで貫通し、搭載面に垂直に（Ｚ軸方向に）穿たれた孔である。ネジ５２ａとしては、イモネジ、止めネジ等が採用できる。ネジ５２ａ及びネジ穴５１ａは、ネジ５２ａをネジ穴５１ａに挿入し、Ｚ軸方向に進めることで、ネジ５２ａの先端が第１の基板１０ａの主面の反対側の面（裏面）に−Ｚ方向（Ｚ軸におけるマイナス側へ向かう方向）の側から当接できるような構造となっている。このように当接させる領域は、例えば、図２に示される領域１４ａである。そして、このネジ５２ａを回すことでネジ５２ａの送り具合（進め具合）を変え、それにより第１のレンズアレイ２０ａと第１の基板１０ａとの間の距離を調整すること、すなわち第１の距離を調整することができる。第１の調整機構は、第２の基板１０ｂと第１の基板１０ａとの境界付近において距離を調整する機構であるため、ネジ５２ａの第１の基板１０ａへの当接位置としては、図２の領域１４ａで例示するように、第１の基板１０ａの第２の基板１０ｂ側の端部を含めておく。また、図１及び図３に示されるように、ネジ５２ａを回すための六角レンチ、ドライバー等の道具を挿入させるために、ベース４０の対応する位置には貫通孔５４ａが形成されている。
【００５７】
第２の調整機構は、第１のネジ機構と同様の機構として、第２の距離を調整する第２のネジ機構を有することができる。図３に示されるように、第２のネジ機構５０ｂは、例えば、ベース４０に形成されたネジ穴５１ｂと、ネジ穴５１ｂに螺合するネジ５２ｂと、を有することができる。ネジ５２ｂは、例えば、図２に示される領域１４ｂにその先端が当接するように構成することができる。また、図３に示されるように、ネジ５２ｂを回すための六角レンチ、ドライバー等の道具を挿入させるために、ベース４０の対応する位置には貫通孔５４ｂが形成されている。なお、領域１４ｂのＹ軸方向の位置は、領域１４ａのＹ軸方向の位置と同じであることが望ましいが、同じでなくてもよい。
【００５８】
また、保持部４３で例示した保持部は、第１の基板１０ａのＸ軸方向の端部を第１のレンズアレイ２０ａに近づける方向への変位、及び第１の基板１０ａのＸ軸方向の端部を第１のレンズアレイ２０ａから遠ざける方向への変位のうち、少なくとも一方を許容する空間を有することが好ましい。これにより、第１の調整機構による調整のための空間を形成しておくことができる。
【００５９】
また、保持部４３で例示した保持部は、第２の基板１０ｂのＸ軸方向の端部を第２のレンズアレイ２０ｂに近づける方向への変位、及び第２の基板１０ｂのＸ軸方向の端部を第２のレンズアレイ２０ｂから遠ざける方向への変位のうち、少なくとも一方を許容する空間を有することが好ましい。これにより、第２の調整機構による調整のための空間を形成しておくことができる。
【００６０】
例えば、図３に示されるように、第１の基板１０ａ及び第２の基板１０ｂを押さえるレンズホルダ４１は、第１の基板１０ａと第２の基板１０ｂとの境界付近におけるＸ軸方向の端部に対応する部分において、高さＺ１（例えば１ｍｍ程度）で示される段差を有する構造とする。この段差は、切削加工により形成した切削段差とすることができ、以下、この切削段差により生じる空間を切削段差部分４１ａと称す。このような構造により、第１の基板１０ａのＸ軸方向の第２の基板１０ｂ側の端部を第１のレンズアレイ２０ａに近づける方向への変位（−Ｚ方向に向かう変位）、及び第２の基板１０ｂのＸ軸方向の第１の基板１０ａ側の端部を第２のレンズアレイ２０ｂに近づける方向への変位（−Ｚ方向に向かう変位）を、許容することができる。なお、図３では、感光体ドラム１１３の図示を省略するとともに、ネジ４７を図示していないが、ネジ４７は第１の基板１０ａと第２の基板１０ｂとの境界付近に備えることもできる。
【００６１】
第１の調整機構及び第２の調整機構を用いた調整作業について説明する。
調整者は、図１に示されるコネクタ３２に画像形成装置の制御部又はその制御部に代わる調整用の回路を接続し、インターフェース基板３０を介して第１の基板１０ａ及び第２の基板１０ｂに制御信号を送信させる。この制御信号を受信することで、第１の基板１０ａ及び第２の基板１０ｂは、第１のＬＥＤアレイユニット１１ａ及び第２のＬＥＤアレイユニット１１ｂに電流を投入することができ、複数のＬＥＤ１２ａ，１２ｂを発光させる（点灯させる）ことができる。そして、調整者は、ＬＥＤ１２ａ，１２ｂが点灯した状態で、ＣＣＤカメラを用い、第１のレンズアレイ２０ａ及び第２のレンズアレイ２０ｂから出力される光の結像点の位置を観測しながら、第１の距離及び第２の距離の少なくとも一方を調整する。
【００６２】
より具体的には、調整者は、少なくともＬＥＤ１２ａａ及びＬＥＤ１２ｂａから出射される光についての結像点の位置（つまりＬＥＤ１２ａａ，１２ｂａの結像位置）を観測し、それらの位置を比較し、それらの位置がＺ軸方向において一致するように、第１の距離及び第２の距離の少なくとも一方を調整すればよい。ここで、上述したように、図２に示される領域１４ａは、第１のＬＥＤアレイユニット１１ａの搭載面とは反対の面である裏面における、第１の基板１０ａにネジ５２ａが接触する領域であり、領域１３ａａ，１３ａｂは、レンズホルダ４１及びカバー４２が接触（押圧）する領域である。同様に、領域１４ｂは、第２の基板１０ｂの裏面におけるネジ５２ｂが接触する領域であり、領域１３ｂａ，１３ｂｂは、レンズホルダ４１及びカバー４２が接触する領域である。よって、調整者は、第１の基板１０ａ及び第２の基板１０ｂのうち結像点のＺ軸方向の位置がレンズ寄りの方（高い方）の基板を、ネジ５２ａ，５２ｂのうちのその基板に対応する方のネジを−Ｚ方向に進めることで、領域１３ａａ，１３ａｂ及び領域１３ｂａ，１３ｂｂの一方を始点として−Ｚ方向に湾曲させ、距離Ｌｉを短くすることができる。そして、これにより、距離Ｌｏが短く、つまりＺ軸方向の結像点の位置を低くすることができる。このようにして、ＬＥＤ１２ａａ，１２ｂａの像を観測しながら両者から出射された光の結像点のＺ軸方向の位置が等しくなるように調整すればよい。
【００６３】
調整後は、例えば嫌気性接着剤のようなネジ緩み止め用の接着剤をネジ穴５１ａ，５１ｂに塗布し、ネジ５２ａ，５２ｂを固定する。なお、調整前にこの接着剤をネジ穴５１ａ，５１ｂに塗布した状態でネジ５２ａ，５２ｂを挿入して接着剤の凝固前に調整を行うようにしてもよい。また、貫通孔５４ａ，５４ｂは、シリコン樹脂などの封止剤で埋めるとよい。また、調整及びネジ５２ａ，５２ｂの固定の完了後には、空洞部分であるその切削段差部分４１ａをシリコン樹脂などの封止剤によって埋めることで、露光装置１の内部に異物が入ってくることを防止しておけばよい。
【００６４】
このように、レンズホルダ４１に切削段差部分４１ａを設け、ベース４０にネジ穴５１ａ，５１ｂを形成してネジ５２ａ，５２ｂにより第１の基板１０ａ及び第２の基板１０ｂの少なくとも一方の境界付近の端部を−Ｚ方向に押すことで、ＬＥＤ１２ａａ，１２ｂａの少なくとも一方の結像点の位置を変えることが可能になる。その結果、第１の基板１０ａ及び第２の基板１０ｂの境界付近における結像点のＺ軸方向の位置の差を無くすことができるため、この境界付近で感光体ドラム１１３上に露光される光のスポット径の大きさが変化して印字濃淡が生じるという問題を解消することができる。また、第１の調整機構及び第２の調整機構の少なくとも一方における調整により、第１のレンズアレイ２０ａと第２のレンズアレイ２０ｂとのＴＣ値の差を補うことが可能である。
【００６５】
また、第１の調整機構及び第２の調整機構は、第１の基板１０ａ及び第２の基板１０ｂにおける境界付近のＺ軸方向の位置を調整するため、ネジ５２ａ，５２ｂと接触する領域１４ａ，１４ｂなど、調整のための当接領域を含む境界付近の基板の端部は、自由端となっている。このように第１の基板１０ａ及び第２の基板１０ｂの境界付近の端部を自由端とし、それら端部において領域１３ａａ，１３ａｂ，１３ｂａ，１３ｂｂを支点としてＺ軸方向の位置を変位させた場合、第１の基板１０ａ及び第２の基板１０ｂの各々において、端部とＸ軸方向の中央部分とで、レンズを透過した光の結像点までの距離の違いが生じる。しかし、その違いは、第１の基板１０ａ又は第２の基板１０ｂの撓みによってＸ軸方向に徐々に生じるものであり、距離の違いが極端に変わること（印字濃淡が目立つこと）はない。
【００６６】
以上、第１の基板１０ａ及び第２の基板１０ｂにおける境界付近について説明した。次に、第１の基板１０ａの第２の基板１０ｂ側とは反対側のＸ軸方向の端部（別端部と称す）、並びに第２の基板１０ｂの別端部（第１の基板１０ａ側とは反対側のＸ軸方向の端部）について、簡単に説明する。
【００６７】
第１の基板１０ａ及び第２の基板１０ｂのＸ軸方向の別端部は、例えば、Ｘ軸方向の中央部と同様に調整機構を備えず、レンズホルダ４１により当接されてベース４０上に絶縁シート４０ａを介して固定させておけばよい。また、露光装置１に、ＬＥＤアレイユニットを搭載したＬＥＤユニット基板とレンズアレイとがさらに備えられ、第１の基板１０ａの別端部及び第２の基板１０ｂの別端部の少なくとも一方に、第１の基板１０ａと同様の別基板が配列される場合には、保持部がその別端部に対応する調整機構を備える構造を採用すればよい。第１の基板１０ａの別端部に別基板が接続される例を挙げて説明する。この場合、上記別端部は、第２の基板１０ｂとの境界付近の端部の形状と同様の形状を有するように形成しておき、且つ、上述した保持部は、上記別端部についても第１の調整機構の一部として同様の調整機構を備えておけばよい。
【００６８】
その他、実施の形態１は、上述した例に限定されず、種々の利用形態や変形が可能である。例えば、第１の調整機構及び第２の調整機構は、第１の基板１０ａ及び第２の基板１０ｂの境界付近の端部（Ｘ軸方向の端部）を押圧してＺ軸方向の結像点の位置を調整する機構に限らず、Ｘ軸方向の中央部分とともに押圧することでＺ軸方向の結像点の位置を調整する機構を採用することもできる。この場合、図１に示されるレンズホルダ４１と第１の基板１０ａ及び第２の基板１０ｂとの配置を採用せず、次のような構造（図示せず）を採用することができる。すなわち、例えば、第１の基板１０ａ及び第２の基板１０ｂのＺ軸方向の変位をレンズホルダが妨げないような構造を採用するとともに、第１の調整機構及び第２の調整機構として、第１の基板１０ａの全体と第２の基板１０ｂの全体とを独立してベース上で昇降させることで、第１の距離と第２の距離とを独立に調整させる機構を採用することができる。
【００６９】
なお、実施の形態１に係る露光装置では、第２のＬＥＤアレイユニット１１ｂ、第２の基板１０ｂ、及び第２のレンズアレイ２０ｂを含む光学ユニットを必須の構成要件としない構成を採用することもできる。つまり、実施の形態１に係る露光装置は、１又は複数の第１のＬＥＤアレイユニット１１ａと、第１の基板１０ａと、第１のレンズアレイ２０ａと、保持部４３におけるこれらを保持する部分と、を備えた装置（以下、単一装置と称す）として構成することもできる。例えば、複数の単一装置をＸ軸方向に並べて保持部同士を接続することで、上述した効果を有する１つの露光装置を構成することができるためである。但し、この場合、接続の境界部分においてＬＥＤが等間隔で連続するように接続する必要があるため、双方の保持部において接続側のＹＺ平面を開口して形成しておく必要がある。また、上記単一装置は、上記単一装置と同じＬＥＤアレイユニット、ＬＥＤユニット基板、レンズアレイを備え且つ調整機構を備えない別の露光装置と接続することもできる。このように構成された新たな露光装置でも、上記単一装置側で、上記単一装置の上記別の露光装置側の端部の結像点のＺ軸方向の位置を、上記別の露光装置の上記単一装置側の端部の結像点のＺ軸方向の位置と等しくするように調整することが可能であるため、同様の効果が得られる。
【００７０】
なお、ＬＥＤユニット基板の数とレンズアレイの数とが一対一の関係である例を挙げたが、これに限らず、図１に示される第１のネジ機構５０ａで例示したように第１の距離の調整をＬＥＤユニット基板の位置を調整することで行う場合には、複数のＬＥＤユニット基板に対して１つのレンズアレイを備えることもできる。一方で、第１の距離をレンズアレイの位置を調整することで行う場合、複数のレンズアレイに対して１つのＬＥＤユニット基板を備えることもできる。
【００７１】
以上に説明したように、実施の形態１によれば、露光装置１においてＬＥＤアレイユニットとレンズアレイとの間の距離を調整する機構を持たせているため、ＬＥＤアレイユニットを搭載したＬＥＤユニット基板及びレンズアレイと、同様のＬＥＤユニット基板及びレンズアレイとを並べる場合であっても、並べた境界付近において、ＬＥＤアレイユニットから出射されレンズアレイを透過した光の結像点のＺ軸方向の位置の差を無くすように容易に調整することが可能になる。また、実施の形態１によれば、コストの低い短尺のＬＥＤユニット基板及びレンズアレイを並べて長尺にすることができるため、また調整機構を簡単な機構で構成できるため、露光装置を低コストで提供することができるようになる。
【００７２】
《２》実施の形態２
図４は、実施の形態２に係る露光装置におけるＬＥＤユニット基板及び調整機構の一例を概略的に示す上面図、図５は、図４に示されるＬＥＤユニット基板及び調整機構を−Ｙ方向に見た図である。ここで、図４及び図５は、ＬＥＤユニット基板同士の境界付近を示している。なお、図４及び図５では、図１から図３の構成要素と同じ又は対応する構成要素については、同じ符号で示している。また、図５には、ＬＥＤ１２ａ，１２ｂを図示していない。
【００７３】
実施の形態２に係る露光装置は、実施の形態１に係る露光装置１において、第１の調整機構として、第１のネジ機構の代わりに第１のカム機構を備え、第２の調整機構として、第２のネジ機構の代わりに第２のカム機構を備えたものである。実施の形態２について、実施の形態１との相違点を中心に説明するが、実施の形態１で説明した様々な例が適用できる。
【００７４】
第１のカム機構は、第１の距離を調整する機構である。図４及び図５に示されるように、第１のカム機構５５ａは、例えば、偏心カム等の第１のカム５７ａを有し、第１の基板１０ａの裏面の領域１４ｃに−Ｚ方向の側から第１のカム５７ａを当接させ、第１のカム５７ａの回転具合を変えることにより、第１の距離を調整する。
【００７５】
ここで、第１の距離は、上述したように、第１のレンズアレイ２０ａと第１の基板１０ａ（特に、第１のＬＥＤアレイユニット１１ａ上のＬＥＤ１２ａａの発光面）との間のＺ軸方向の距離を指す。また、図４及び図５に示されるように、第１のカム５７ａには回転軸５６ａが固定され、この回転軸５６ａにはドライバー５９で第１のカム５７ａを回転させるための凹部（＋形状の凹部で例示）が形成されている。また、例えば、回転軸５６ａの凹部が形成された端部とは反対側の端部には、図１に示されるベース４０の内壁に形成された穴に螺合させるネジ溝５８ａを形成しておく。
【００７６】
このような構成より、調整者は、回転軸５６ａの凹部の形状に対応するドライバー５９を用い、Ｙ軸方向の側から第１のカム５７ａの回転具合を変えることができる。なお、実施の形態２における保持部の一部として例示できるベースは、図１に示されるベース４０において、第１のカム５７ａ等の第１のカム機構と後述の第２のカム５７ｂ等の第２のカム機構とを収容するスペースが、第１の基板１０ａ及び第２の基板１０ｂの搭載面に形成されている。また、このベースには、図１に示されるベース４０の貫通孔５４ａに対応する貫通孔を、対応する位置に形成しておくことで、ドライバー５９を挿入することができる。第１の距離を調整後には、上記の内壁に形成された穴と回転軸５６ａの上記反対側の端部とを接着剤で固定し、貫通孔５４ａに対応する貫通孔は、シリコン樹脂などの封止剤で埋めるとよい。
【００７７】
第２のカム機構は、第２の距離を調整する機構であり、その詳細な説明は省略するが、第１のカム機構と同様の機構を採用することができる。図４及び図５に示される第２のカム機構５５ｂは、回転軸５６ｂを中心に回転する第２のカム５７ｂを有し、第２の基板１０ｂの裏面の領域１４ｄに−Ｚ方向の側から第２のカム５７ｂを当接させ、その回転具合を変えることにより、第２の距離を調整する。なお、図４に示されるネジ溝５８ｂは、ネジ溝５８ａに対応するものである。
【００７８】
なお、第１のカム機構５５ａ及び第２のカム機構５５ｂは、第１のカム５７ａ及び第２のカム５７ｂの形状をはじめとして、例示したものに限らない。また、実施の形態２における露光装置の保持部は、例えば、第１の調整機構として第１のカム機構５５ａを備え、第２の調整機構として図３で示される第２のネジ機構５０ｂを備えることもできる。
【００７９】
以上、実施の形態２によれば、このようなカム機構を有する調整機構によっても、実施の形態１と同様の効果が得られ、その効果に加え、ＬＥＤユニット基板を、図４における下側から調整が可能な構造を採用し易くなり、調整がより容易になるといった効果が得られる。
【００８０】
《３》実施の形態３
図６は、実施の形態３に係る露光装置におけるＬＥＤユニット基板の一例を概略的に示す上面図、図７は、その露光装置の一断面（図３の断面に対応する断面）を示す図であり、いずれの図もＬＥＤユニット基板同士の境界付近を示している。なお、図６及び図７では、図１から図５の構成要素と同じ又は対応する構成要素については、同じ符号で示している。
【００８１】
実施の形態３に係る露光装置は、実施の形態１に係る露光装置１又は実施の形態２に係る露光装置において、図３に示される第１の基板１０ａ及び第２の基板１０ｂの少なくとも一方に切欠き部を有するようにしたものである。実施の形態３について、実施の形態１との相違点を中心に説明するが、実施の形態１及び２で説明した様々な例が適用できる。
【００８２】
図６に示されるように、第１の基板１０ｅは、図３に示される第１の基板１０ａに対応する基板であり、第１の基板１０ｅのＸ軸方向の端部から（端面１０ｅａから）、第１のＬＥＤアレイユニット１１ａに沿って延びる第１の切欠き部１５ｅａ，１５ｅｂを有する。ここでは、第１の基板１０ｅにおいて、第１のＬＥＤアレイユニット１１ａの両側に２つの第１の切欠き部１５ｅａ，１５ｅｂを形成した例を挙げている。但し、第１の基板１０ｅに形成する第１の切欠き部は、１つであってもよいし、３つ以上であってもよい。なお、図６に示される第１の切欠き部１５ｅａ，１５ｅｂは、Ｘ軸方向に平行に形成されているが、第１の切欠き部は、Ｘ軸方向に平行に形成されていなくても、第１のＬＥＤアレイユニット１１ａに沿って延びるように形成されていればよい。
【００８３】
また、図６に示されるように、第２の基板１０ｆは、図３に示される第２の基板１０ｂに対応する基板であり、第２の基板１０ｆのＸ軸方向の端部から（端面１０ｆａから）、第２のＬＥＤアレイユニット１１ｂに沿って延びる第２の切欠き部１５ｆａ，１５ｆｂを有する。なお、第２の切欠き部１５ｆａ，１５ｆｂは、第１の切欠き部１５ｅａ，１５ｅｂと同様に形成しておけばよい。
【００８４】
また、第１の切欠き部１５ｅａ，１５ｅｂ及び第２の切欠き部１５ｆａ，１５ｆｂの存在により、実施の形態３に係る露光装置の保持部の一例としてのベース、レンズホルダ、及びカバーのうち、レンズホルダ及びカバーは、図１に示されるレンズホルダ４１及びカバー４２と比較して、第１の基板１０ｅとの接触部分及び第２の基板１０ｆとの接触部分の形状が異なり、より広い面積で接触させることができるようになる。
【００８５】
この点について、具体的に説明する。図６に示される領域１７ｅａ，１７ｅｂは、図２に示される領域１３ａａ，１３ａｂに対応する領域であり、第１の基板１０ｅにおいてレンズホルダ又はカバーが接触する領域を指す。つまり、第１の基板１０ｅは、図６に示される領域１７ｅａ，１７ｅｂにおいて図１に示されるレンズホルダ４１に対応するレンズホルダ（図７に示されるレンズホルダ４１ｂ）又は図１に示されるカバー４２に対応するカバーに接触し、それらレンズホルダ４１ｂ及びカバーによって押圧された状態（つまり圧接された状態）で、図７に示されるベース４０に固定される。同様に、図６に示される領域１７ｆａ，１７ｆｂは、図２に示される領域１３ｂａ，１３ｂｂに対応する領域であり、第２の基板１０ｆにおいてそれらレンズホルダ４１ｂ及びカバーが接触する領域を指す。
【００８６】
また、図６に示される領域１４ｅは、図２に示される領域１４ａに対応する領域であり、第１の基板１０ｅにネジ５２ａが接触する領域を指す。図６に示される領域１４ｆは、図２に示される領域１４ｂに対応する領域であり、第２の基板１０ｆにネジ５２ｂが接触する領域を指す。
【００８７】
図７に示される第１の調整機構の一例である第１のネジ機構５０ａにより調整される第１の距離は、ネジ５２ａの先端を領域１４ｅに当接させ、第１の基板１０ｅを−Ｚ方向に押圧するなどして、調整される。ここで、図６に示されるように、第１の基板１０ｅには第１の切欠き部１５ｅａ，１５ｅｂが形成されているため、第１の切欠き部１５ｅａ，１５ｅｂで挟まれる第１の基板１０ｅの領域（第１の基板１０ｅのＹ軸方向の中央領域）における第２の基板１０ｆ側の端部は、第１の基板１０ｅのＹ軸方向の両端部を固定するか否かに拘わらず、自由端になり、第１のネジ機構５０ａのネジ５２ａにより−Ｚ方向に変位可能となっている。このとき、領域Ａａ，Ａｂが固定端となる。
【００８８】
従って、第１の基板１０ｅの第２の基板１０ｆ側の端部において、Ｙ軸方向の両端部を圧接により固定しておいても、第１の距離の調整は可能である。この場合、第１の切欠き部１５ｅａにおける最も第２の基板１０ｆと離れた位置と第１の切欠き部１５ｅｂにおける最も第２の基板１０ｆと離れた位置とを結ぶ直線が、調整時の支点となる。なお、第１の基板１０ｅに１つの第１の切欠き部を形成した場合でも、支点の位置が変わるものの、第１の距離の調整は可能である。第２の基板１０ｆのＹ軸方向の両端部も、同様の理由から固定しておくことができる。そのため、図６に示される領域１７ｅａ，１７ｅｂ，１７ｆａ，１７ｆｂは、第１の基板１０ｅ及び第２の基板１０ｆの境界付近におけるＹ軸方向の両端部も含むようになり、レンズホルダ４１ｂ又はカバーとの接触領域の面積を大きくすることができる。
【００８９】
以上のように、第１の基板１０ｅ及び第２の基板１０ｆに第１の切欠き部１５ｅａ，１５ｅｂ及び第２の切欠き部１５ｆａ，１５ｆｂが形成されているため、レンズホルダ４１ｂで第１の基板１０ｅ及び第２の基板１０ｆを圧接した状態であっても、領域１４ｅ，１４ｆに先端を当接させたネジ５２ａ，５２ｂの−Ｚ方向の変位を調整することにより、第１の基板１０ｅ及び第２の基板１０ｆの境界部分の端部のうちのＹ軸方向の中央領域を−Ｚ方向に動かして調整することができる。
【００９０】
なお、第１の距離及び第２の距離の調整のために、第１の切欠き部１５ｅａ，１５ｅｂ及び第２の切欠き部１５ｆａ，１５ｆｂは、第１のＬＥＤアレイユニット１１ａの搭載位置及び第２のＬＥＤアレイユニット１１ｂの搭載位置に、一部でも重複しない位置であって、且つ、領域１４ｅ，１４ｆ（第１の調整機構及び第２の調整機構による調整時に第１の基板１０ｅ及び第２の基板１０ｆを押圧する領域）と重複しない位置に形成されている。
【００９１】
また、レンズホルダ４１ｂとベース４０の間には、第１の基板１０ｅ及び第２の基板１０ｆの境界付近において隙間が形成されているため、調整終了後にはシリコン樹脂などの封止剤によって埋め、露光装置の内部に異物が入ってくることを防止しておけばよい。
【００９２】
また、通常、ＬＥＤユニット基板の表面はレジストで覆われているが、図６に示されるように、第１の基板１０ｅ及び第２の基板１０ｆの境界付近の領域１６ｅａ，１６ｅｂ，１６ｆａ，１６ｆｂは、導体パターンがなくレジストが除去され基材が露出した非レジスト領域とすることができる。そして、図６及び図７に示されるように、これらの非レジスト領域１６ｅａ，１６ｅｂ，１６ｆａ，１６ｆｂに、熱による収縮の影響が少ないセラミックなどを材料とした板片１８ｅ，１８ｆを瞬間接着剤で固定し、熱によって第１の基板１０ｅと第２の基板１０ｆとが接触しないように構成しておくことが好ましい。
【００９３】
また、図６及び図７では、第１の基板１０ｅと第２の基板１０ｆとの境界付近を示しているが、第１の基板１０ｅ又は第２の基板１０ｆにおけるＸ軸方向の別端部に他のＬＥＤユニット基板を接続する場合には、その別端部においても、このような第１の切欠き部１５ｅａ，１５ｅｂ及び第１の調整機構又は第２の切欠き部１５ｆａ，１５ｆｂ及び第２の調整機構を備えることが好ましい。
【００９４】
以上説明したように、実施の形態３によれば、実施の形態１又は実施の形態２の効果に加え、第１の基板１０ｅ及び第２の基板１０ｆといった搭載されるＬＥＤユニット基板を、より強固に保持させることが可能となる。
【００９５】
《４》実施の形態４
図８は、実施の形態４に係る露光装置におけるＬＥＤユニット基板の一例を概略的に示す上面図であり、ＬＥＤユニット基板同士の境界付近を示している。なお、図８では、図１から図７の構成要素と同じ又は対応する構成要素については、同じ符号で示している。
【００９６】
実施の形態４に係る露光装置は、第１の基板及び第２の基板の境界付近における基板形状が、実施の形態１から３のいずれかに係る露光装置におけるものと異なる。実施の形態４について、実施の形態３との相違点を中心に説明するが、実施の形態１から３で説明した様々な例が適用できる。
【００９７】
実施の形態４に係る露光装置では、図８に示されるように、第１の基板１０ｇは、第２の基板１０ｈの端面１０ｈｂに対向する端面を有する第１の突出部１０ｇａを有し、第２の基板１０ｈは、第１の基板１０ｇの端面１０ｇｂに対向する面を有する第２の突出部１０ｈａを有している。このような構成により、第１の基板１０ｇと第２の基板１０ｈとの位置合わせを行う際に、第１のＬＥＤアレイユニット１１ａと第２のＬＥＤアレイユニット１１ｂとの接触を防止することができる。
【００９８】
また、第１の突出部１０ｇａには、第１のＬＥＤアレイユニット１１ａのＸ軸方向の一方の端部（端面１１ａａを含む端部）が搭載されており、第２の突出部１０ｈａには、第２のＬＥＤアレイユニット１１ｂのＸ軸方向の一方の端部（端面１１ｂａを含む端部）が搭載されている。そして、実施の形態４における保持部は、第１の突出部１０ｇａのＸ軸方向の突出範囲と第２の突出部１０ｈａのＸ軸方向の突出範囲とが少なくとも一部で重なるように、第１の基板１０ｇ及び第２の基板１０ｈを保持する。第１の突出部１０ｇａ及び第２の突出部１０ｈａの形状は、図８で示すものに限らない。
【００９９】
図８に示されるように、第１の基板１０ｇには、図６に示される第１の切欠き部１５ｅａ，１５ｅｂと同様の第１の切欠き部１５ｇａ，１５ｇｂが形成されており、第２の基板１０ｈには、図６に示される第２の切欠き部１５ｆａ，１５ｆｂと同様の第２の切欠き部１５ｈａ，１５ｈｂが形成されている。よって、図８に示されるように、第１の基板１０ｇにおいて図７に示されるレンズホルダ４１ｂ又はカバーが接触する領域１７ｇａ，１７ｇｂ、及び第２の基板１０ｈにおいてレンズホルダ４１ｂ又はカバーが接触する領域１７ｈａ，１７ｈｂは、第１の基板１０ｇ及び第２の基板１０ｈの境界付近におけるＹ軸方向の両端部も含む。
【０１００】
また、図８に示される領域１４ｇは、図６に示される領域１４ｅに対応する領域と同様に、第１の基板１０ｇに調整用のネジ（図７に示されるネジ５２ａに対応）が接触する領域を指す。図８に示される領域１４ｈは、図６に示される領域１４ｆと同様に、第２の基板１０ｈに調整用のネジ（図７に示されるネジ５２ｂに対応）が接触する領域を指す。領域１４ｇ，１４ｈに先端を当接させたこれらのネジの−Ｚ方向の変位を調整することにより、第１の基板１０ｇ及び第２の基板１０ｈの境界部分の端部のうちのＹ軸方向の中央領域を−Ｚ方向に動かして調整することができる。
【０１０１】
そして、上述したように、第１の基板１０ｇには端面１１ａａが形成された部分まで第１のＬＥＤアレイユニット１１ａが搭載され、第２の基板１０ｈには端面１１ｂａが形成された部分まで第２のＬＥＤアレイユニット１１ｂが搭載されており、実施の形態１から３における図２、図４、及び図６に示されるように突出させておらず、第１の基板１０ｇと第１のＬＥＤアレイユニット１１ａとの接続及び第２の基板１０ｈと第２のＬＥＤアレイユニット１１ｂとの接続が外れ難い。つまり、実施の形態４では、第１のＬＥＤアレイユニット１１ａと第２のＬＥＤアレイユニット１１ｂとの接触を防止するための構造として、第１の基板１０ｇ及び第２の基板１０ｈにおけるボンディングワイヤによる接続強度を図２、図４、及び図６で示される構造に比べて大きくすることができる。
【０１０２】
また、第１の基板１０ｇ及び第２の基板１０ｈは、第１の突出部１０ｇａ及び第２の突出部１０ｈａの存在により境界付近における端面同士の距離を短くすることができるため、保持部がそれらをより強固に保持できる。また、図７に示されるレンズホルダ４１ｂとベース４０との間の上記境界付近において形成される隙間が小さくなり、その隙間を埋める封止剤の量を減らすことができる。
【０１０３】
なお、図８に示される領域１６ｇａ，１６ｇｂ，１６ｈａ，１６ｈｂは、図６に示される非レジスト領域１６ｅａ，１６ｅｂ，１６ｆａ，１６ｆｂと同様に、基材が露出した非レジスト領域であり、図６に示される板片１８ｅ，１８ｆと同様の板片１８ｇ，１８ｈが固定される領域である。
【０１０４】
また、図８では、第１の基板１０ｇと第２の基板１０ｈとの境界付近を示しているが、第１の基板１０ｇ又は第２の基板１０ｈにおけるＸ軸方向の別端部に他のＬＥＤユニット基板を接続する場合には、その別端部においても、第１の突出部１０ｇａ及び第１の調整機構又は第２の突出部１０ｈａ及び第２の調整機構を備えることが好ましい。
【０１０５】
また、図８では、第１の突出部１０ｇａ及び第２の突出部１０ｈａが形成されている例を挙げているが、第１の基板及び第２の基板のいずれか一方だけ突出部を形成し、他方を図６に示されるようにＬＥＤアレイユニットの先端を突出させるように構成することもできる。
【０１０６】
以上に説明したように、実施の形態４によれば、実施の形態１から３の効果に加え、ＬＥＤユニット基板上のボンディングワイヤによる接続強度の低下を低減することができる。
【０１０７】
《５》実施の形態５
図９は、実施の形態５に係る画像形成装置の一構成例を概略的に示す縦断面図である。図９で示される実施の形態５に係る画像形成装置１００は、例えば、電子写真方式を採用するカラープリンタである。画像形成装置１００は、実施の形態１から４のいずれかに係る露光装置をＬＥＤヘッド１１１（１１１Ｋ，１１１Ｙ，１１１Ｍ，１１１Ｃ）として備えている。
【０１０８】
図９に示されるように、画像形成装置１００は、主要な構成として、電子写真方式により用紙などのシート状部材である記録媒体Ｐ上に現像剤像（トナー像）を形成する画像形成部１１０Ｋ，１１０Ｙ，１１０Ｍ，１１０Ｃと、画像形成部１１０Ｋ，１１０Ｙ，１１０Ｍ，１１０Ｃに記録媒体Ｐを供給する媒体供給部（給紙部）１２０と、記録媒体Ｐを搬送する搬送部１３０と、画像形成部１１０Ｋ，１１０Ｙ，１１０Ｍ，１１０Ｃの各々に対応するように配置された転写部としての転写ローラ１４０と、記録媒体（印刷媒体）Ｐ上に転写されたトナー像を記録媒体Ｐ上に定着させる定着装置としての定着器１５０と、定着器１５０を通過した記録媒体Ｐを画像形成装置１００の外部に排出する媒体排出部としての排紙ローラ対１２５と、を有する。なお、図９には、４つの画像形成部１１０Ｋ，１１０Ｙ，１１０Ｍ，１１０Ｃが示されているが、画像形成装置１００が有する画像形成部の数は、３以下又は５以上であってもよい。また、図９には、画像形成装置１００がカラープリンタである場合が示されているが、実施の形態５に係る画像形成装置は、電子写真方式によって記録媒体上に画像を形成する装置であれば、画像形成部の数が１つであるモノクロプリンタとすることもできる。さらに、図９には、画像形成装置１００がプリンタである場合が示されているが、本発明は、電子写真方式によって記録媒体上に画像を形成する装置であれば、複写機、ファクシミリ装置、多機能周辺装置（ＭＦＰ）などのような他の装置にも適用可能である。換言すれば、本発明は、例えば、画像形成装置１００にスキャン機能、ファクシミリ送信機能などの他の機能を付加した複合装置としての形態も採り得る。
【０１０９】
図９に示されるように、媒体供給部１２０は、媒体カセット（用紙カセット）１２１と、媒体カセット１２１内に積載された記録媒体Ｐを１枚ずつ繰り出す給紙ローラ（ホッピングローラ）１２２と、媒体カセット１２１から繰り出された記録媒体Ｐを搬送するローラ（レジストローラ）１２３と、記録媒体Ｐを画像形成部１１０Ｋ，１１０Ｙ，１１０Ｍ，１１０Ｃに向けて搬送するローラ対１２４とを有する。
【０１１０】
画像形成部１１０Ｋ，１１０Ｙ，１１０Ｍ，１１０Ｃは、記録媒体Ｐ上にブラック（Ｋ）色のトナー像、イエロー（Ｙ）色のトナー像、マゼンタ（Ｍ）色のトナー像、及びシアン（Ｃ）色のトナー像をそれぞれ形成する。画像形成部１１０Ｋ，１１０Ｙ，１１０Ｍ，１１０Ｃは、媒体搬送路に沿って媒体搬送方向（矢印方向）の上流側から下流側に向けて並んで配置されている。画像形成部１１０Ｋ，１１０Ｙ，１１０Ｍ，１１０Ｃは、着脱自在に形成された各色用の画像形成ユニット１１２Ｋ，１１２Ｙ，１１２Ｍ，１１２Ｃをそれぞれ有している。直列に配列された画像形成ユニット１１２Ｋ，１１２Ｙ，１１２Ｍ，１１２Ｃは、画像形成部１１０Ｋ，１１０Ｙ，１１０Ｍ，１１０Ｃの各色に対応して備えられ、画像形成ユニット１１２Ｃはシアンのトナーにより画像を形成し、画像形成ユニット１１２Ｍはマゼンタのトナーにより画像を形成し、画像形成ユニット１１２Ｙはイエローのトナーにより画像を形成し、画像形成ユニット１１２Ｋはブラックのトナーにより画像を形成する。画像形成ユニット１１２Ｋ，１１２Ｙ，１１２Ｍ，１１２Ｃは、トナーの色が異なる点以外は、互いに基本的に同一の構造を有する。
【０１１１】
画像形成部１１０Ｋ，１１０Ｙ，１１０Ｍ，１１０Ｃは、各色用の露光装置としてのＬＥＤヘッド１１１Ｋ，１１１Ｙ，１１１Ｍ，１１１Ｃをそれぞれ有している。すなわち、画像形成装置１００は、光源としてＬＥＤヘッド１１１を用いるＬＥＤプリンタであると言える。
【０１１２】
画像形成ユニット１１２Ｋ，１１２Ｙ，１１２Ｍ，１１２Ｃの各々は、回転中心軸を中心にして回転可能に支持された像担持体としての感光体ドラム１１３と、感光体ドラム１１３の表面を一様に帯電させる帯電部材としての帯電ローラ１１４と、ＬＥＤヘッド１１１（１１１Ｋ，１１１Ｙ，１１１Ｍ，１１１Ｃ）による露光によって感光体ドラム１１３の表面に静電潜像を形成した後に、感光体ドラム１１３の表面にトナーを供給して静電潜像に対応するトナー像を形成する現像装置１１５とを有する。
【０１１３】
現像装置１１５は、トナーを収容する現像剤収容スペースを形成する現像剤収容部としてのトナー収容部と、感光体ドラム１１３の表面にトナーを供給する現像剤担持体としての現像ローラ１１６と、トナー収容部内に収容されたトナーを現像ローラ１１６に供給する供給ローラ１１７と、現像ローラ１１６の表面のトナー層の厚さを規制するトナー規制部材としての現像ブレード１１８とを有する。
【０１１４】
ＬＥＤヘッド１１１（１１１Ｋ，１１１Ｙ，１１１Ｍ，１１１Ｃ）による露光は、一様帯電した感光体ドラム１１３の表面に印刷用の画像データに基づいて実行される。ＬＥＤヘッド１１１Ｋ，１１１Ｙ，１１１Ｍ，１１１Ｃの各々は、感光体ドラム１１３の軸線方向に複数のＬＥＤ（ＬＥＤ素子）が配列されたＬＥＤアレイユニットを含む。
【０１１５】
図９に示されるように、搬送部１３０は、記録媒体Ｐを静電吸着して搬送する搬送ベルト（転写ベルト）１３３と、駆動部により回転されて搬送ベルト１３３を駆動する駆動ローラ１３１と、駆動ローラ１３１と対を成して搬送ベルト１３３を張架するテンションローラ（従動ローラ）１３２とを有する。
【０１１６】
図９に示されるように、転写ローラ１４０は、搬送ベルト１３３を挟んで画像形成ユニット１１２Ｋ，１１２Ｙ，１１２Ｍ，１１２Ｃの各々の感光体ドラム１１３に対向して配置されている。転写ローラ１４０によって、画像形成ユニット１１２Ｋ，１１２Ｙ，１１２Ｍ，１１２Ｃの各々の感光体ドラム１１３の表面に形成された現像剤像（トナー像）は、媒体搬送路に沿って矢印方向に搬送される記録媒体Ｐの上面に順に転写されて、複数のトナー像が重ねられたカラー画像が形成される。
【０１１７】
定着器１５０は、互いに圧接し合う１対のローラ１５１，１５２を有する。ローラ１５１は、加熱ヒータを内蔵するヒートローラであり、ローラ１５２はローラ１５１に向けて押し付けられる加圧ローラである。未定着の現像剤像（トナー像）を有する記録媒体Ｐは、定着器１５０の一対のローラ１５１，１５２間を通過する。このとき、未定着のトナー像は、加熱及び加圧されて記録媒体Ｐ上に定着される。
【０１１８】
次に、画像形成装置１００の動作について説明する。まず、媒体カセット１２１内の記録媒体Ｐは、ホッピングローラ１２２によって繰り出され、レジストローラ１２３へ送られる。続いて、記録媒体Ｐはレジストローラ１２３からローラ対１２４を介して搬送ベルト１３３に送られ、この搬送ベルト１３３の走行に伴って、画像形成ユニット１１２Ｋ，１１２Ｙ，１１２Ｍ，１１２Ｃへと搬送される。画像形成ユニット１１２Ｋ，１１２Ｙ，１１２Ｍ，１１２Ｃにおいて、感光体ドラム１１３の表面は、帯電ローラ１１４によって帯電され、ＬＥＤヘッド１１１（１１１Ｋ，１１１Ｙ，１１１Ｍ，１１１Ｃ）によって露光され、静電潜像が形成される。静電潜像には、現像ローラ１１６上で薄層化されたトナーが静電的に付着されて各色のトナー像が形成される。各色のトナー像は、転写ローラ１４０によって記録媒体Ｐに転写され、記録媒体Ｐ上にカラーのトナー像が形成される。転写後に、感光体ドラム１１３上に残留したトナーは、図示しないクリーニング装置によって除去される。カラーのトナー像が形成された用紙は、定着器１５０に送られる。この定着器１５０において、カラーのトナー像が記録媒体Ｐに定着され、カラー画像が形成される。トナー像が形成された記録媒体Ｐは、排紙ローラ対１２５によって用紙スタッカへ排出される。
【０１１９】
以上に説明したように、実施の形態５に係る画像形成装置１００によれば、実施の形態１から４のいずれかの露光装置をＬＥＤヘッドとして採用したので、１又は複数のＬＥＤアレイユニットを搭載したＬＥＤ基板ユニットとレンズアレイとを並べた際の境界付近（つなぎ目の部分）において、１又は複数のＬＥＤアレイユニットから出射されレンズアレイを透過した光の結像点のＺ軸方向の位置の差を無くすように容易に調整することが可能になる。また、実施の形態５によれば、コストの低い短尺のＬＥＤユニット基板及びレンズアレイを並べて長尺にすることができるため、また調整機構を簡単な機構で構成できるため、画像形成装置を低コストで提供することができる。
【０１２０】
《６》実施の形態６
図１０は、実施の形態６に係る読取装置を備えた原稿読取装置（スキャナ装置）の一構成例を示す縦断面図、図１１は、図１０に示されるスキャナ装置２００における読取装置（読取ヘッド３００）の一構成例を概略的に示す縦断面図である。以下、実施の形態６に係る読取装置及びその読取装置を備えたスキャナ装置について、実施の形態１から４との相違点を中心に説明する。
【０１２１】
実施の形態６に係る読取装置は、実施の形態１から４に係る露光装置における発光素子を、フォトダイオード等の受光素子に置き換えることで、複数の受光素子を有する１又は複数の第１の受光素子アレイが搭載された第１の基板、第１のレンズアレイ、複数の受光素子を有する１又は複数の第２の受光素子アレイが搭載された第２の基板、第２のレンズアレイ、及び、それらを保持する保持部を備えるように構成した装置である。なお、実施の形態６に係る読取装置と実施の形態１から４に係る露光装置とは、受光素子と発光素子の違いのほか、装置の種類及び使用目的が異なるために、一般的に保持部を含めた構造が異なる。また、実施の形態６における第１の基板及び第２の基板は、発光素子の代わりに受光素子を有するものであり、受光ユニット基板と称す。
【０１２２】
このような読取装置においても、実施の形態１から４に係る露光装置と同様に、複数の受光ユニット基板及び複数のレンズアレイを並べた際に、隣接する受光ユニット基板のつなぎ目及び隣接するレンズアレイのつなぎ目において、レンズアレイにおける光の入射面から受光素子までの距離（Ｚ軸方向の距離）に差が生じる。読取装置の場合、この差により、つなぎ目において読取精度の差が目立つことになる。
【０１２３】
そのため、実施の形態６に係る読取装置は、実施の形態１から４で説明した同様の思想を適用し、実施の形態１から４と同様に定義した第１の距離を調整する第１の調整機構、又は、この第１の調整機構及び実施の形態１から４と同様に定義した第２の距離を調整する第２の調整機構を備えることで、このようなつなぎ目における読取精度の差を無くす。つまり、実施の形態６に係る読取装置の主たる特徴は、実施の形態１から４に係る露光装置の主たる特徴と同様である。
【０１２４】
なお、実施の形態６における第１の調整機構及び第２の調整機構は、実施の形態１から４における第１の調整機構及び第２の調整機構と同様の機能を有するものであるため、同様の機構が適用できる。よって、以下の説明では、第１のネジ機構及び第２のネジ機構を例に挙げるが、例えば第１のカム機構及び第２のカム機構で代用することができる。また、以下の説明では、受光ユニット基板側を調整する機構を採用した例を挙げるが、実施の形態１で説明したように、レンズアレイ側を調整する機構を採用することもできる。その他、実施の形態６においても、実施の形態１から４で説明した様々な例が適用できる。
【０１２５】
まず、図１０に示されるスキャナ装置２００について説明する。スキャナ装置２００は、原稿台に載置された原稿Ｄの画像を光学的に読み取り、電子データである原稿画像データを出力することができる。図１０に示されるように、スキャナ装置２００は、実施の形態６に係る読取装置の一構成例である読取装置（読取ヘッド）３００を備えるとともに、例えば、光源２０１、原稿台２０２、ミラー２０３、滑車２０４、駆動ベルト２０５、モータ２０６、及びレール２０７を備えることができる。
【０１２６】
光源２０１は、原稿Ｄに光を照射する。光源２０１としては、例えば、寿命が長く、消費電力が少ないモリブテン電極等の冷陰極管等を用いることができる。原稿台２０２は、原稿Ｄが載置される原稿載置面を形成する略長方形の可視光線透過材質により構成される。ミラー２０３は、原稿Ｄで反射された光の光路を折り曲げるためのミラーである。滑車２０４は、無端状の駆動ベルト２０５を張架する。駆動ベルト２０５の一部は、読取ヘッド３００及び光源２０１に接続されており、駆動ベルト２０５は、モータ２０６から伝達された駆動力によって駆動し、読取ヘッド３００と光源２０１を移動させる。レール２０７は、読取ヘッド３００を原稿載置面のＺ軸方向に水平に移動可能とするために敷設され、駆動ベルト２０５による読取ヘッド３００の移動方向を規制する。
【０１２７】
スキャナ装置２００では、まず、光源２０１が点灯し、原稿Ｄの表面で光が原稿台２０２を介して反射されると、その光がミラー２０３で折り曲げられ、読取ヘッド３００内に取り込まれる。ここで、モータ２０６の駆動により駆動ベルト２０５が駆動することで、読取ヘッド３００と光源２０１とがＺ軸方向に移動し、読取ヘッド３００は、原稿Ｄの全面からの反射光を取り込むことができる。
【０１２８】
次に、読取ヘッド３００の詳細について説明する。読取ヘッド３００は、光源２０１から発せられ原稿Ｄの表面で反射した光を取り込み、受光素子により光電変換して、原稿Ｄ上の画像に応じた電気信号を発生する。なお、この電気信号によって示されるデータ又はそのデータに各種画像処理を施した補正データは、原稿画像データと称することができる。
【０１２９】
図１１に示されるように、読取ヘッド３００は、第１の基板３１０ａ、第１のレンズアレイ３２０ａ、第２の基板３１０ｂ（図１１における第１の基板３１０ａの裏側に位置する）、第２のレンズアレイ３２０ｂ、及び保持部を備える。
【０１３０】
第１の基板３１０ａは、第１の方向（Ｘ軸方向）に配列された複数の受光素子３１２ａを有する第１の受光素子アレイユニット３１１ａが搭載された基板である。第１のレンズアレイ３２０ａは、入射光を第１の受光素子アレイユニット３１１ａに収束させるレンズアレイである。第２の基板３１０ｂは、Ｘ軸方向おいて第１の基板３１０ａに対して離間して配置され、Ｘ軸方向に配列された複数の受光素子３１２ｂを有する第２の受光素子アレイユニット３１１ｂが搭載された基板である。第２のレンズアレイ３２０ｂは、入射光を第２の受光素子アレイユニット３１１ｂに収束させるレンズアレイである。また、保持部は、第１の基板３１０ａ、第１のレンズアレイ３２０ａ、第２の基板３１０ｂ、及び第２のレンズアレイ３２０ｂを保持する部位であり、ここでは、レンズホルダ３４１とベース３４０を有する。
【０１３１】
図１１に示されるレンズユニット３０１は、第１のレンズアレイ３２０ａ、第２のレンズアレイ３２０ｂ、及びレンズホルダ３４１を有するユニットであり、図示しないネジ又は接着剤などによりベース３４０に固定されている。なお、レンズユニット３０１は、例えば第１のレンズアレイ３２０ａ及びそれを保持するレンズホルダを有するレンズユニットと、第２のレンズアレイ３２０ｂ及びそれを保持するレンズホルダを有するレンズユニットと、で構成することもできる。この場合、２つのレンズユニットの互いのレンズホルダが直接又はベース３４０を介して固定される。
【０１３２】
第１のレンズアレイ３２０ａ及び第２のレンズアレイ３２０ｂは、いずれも、Ｚ軸方向に配された一対のレンズを、Ｘ軸方向に並べたものであるが、このような構成に限ったものではない。図１１に示される一対のレンズは、ミラー２０３で反射された光に基づく縮小倒立画像を形成する第１のレンズ板、及び第１のレンズ板により形成された倒立縮小画像を拡大倒立して拡大倒立画像を形成する第２のレンズ板である。また、図１１に示される読取ヘッド３００では、第１のレンズアレイ３２０ａは、第１のレンズ板と第２のレンズ板との間に遮光板３２１ａを有し、レンズユニット３０１は、第１の基板３１０ａと第２のレンズ板との間にマスク３２２ａを有する。
【０１３３】
ベース３４０は、レンズユニット３０１が取付可能な形状を持つとともに、第１の基板３１０ａ及び第２の基板３１０ｂを載置して取り付けるための載置台３４０ｂを有する。載置台３４０ｂの搭載面には絶縁シート３４０ａが載置され、その上から第１の基板３１０ａが載置される。この状態から、第１の基板３１０ａのＹ軸方向の端部のうち、少なくともＸ軸方向の端部を除く領域を、レンズホルダ３４１と接触させ、レンズホルダ３４１をベース３４０に取り付けることで、第１の基板３１０ａが取り付けられる。第２の基板３１０ｂの取り付け方法は、第１の基板３１０ａの取り付け方法と同様である。
【０１３４】
なお、第１のレンズアレイ３２０ａと第１の基板３１０ａとのＹ軸方向の位置決め、並びに第２のレンズアレイ３２０ｂと第２の基板３１０ｂとのＹ軸方向の位置決めについては、実施の形態１の説明を援用することができる。例えば、第１のレンズアレイ３２０ａからの光が第１の基板３１０ａの受光素子３１２ａに収束され、第２のレンズアレイ３２０ｂからの光が第２の基板３１０ｂの受光素子３１２ｂに収束されるように、つまり、双方のレンズアレイからの光がＹ軸方向における異なる位置に収束させるように、位置決めを行えばよい。また、第１のレンズアレイ３２０ａ及び第２のレンズアレイ３２０ｂは、互いの光軸が、第１の受光素子アレイユニット３１１ａの配列方向（受光素子３１２ａの配列方向でありＸ軸方向）及び第２の受光素子アレイユニット３１１ｂの配列方向（受光素子３１２ｂの配列方向でありＸ軸方向）のＹ軸方向の中間位置で交差するように、互いに傾けて設置してもよい。また、第１のレンズアレイ３２０ａ及び第２のレンズアレイ３２０ｂは、内部構造（光学部品の形状及び配置）を互いの光軸が上記中間位置で交差するような構造としてもよい。
【０１３５】
そして、読取ヘッド３００は、その主たる特徴として、保持部に第１のネジ機構３５０ａを備える。第１のネジ機構３５０ａは、第１のレンズアレイ３２０ａと第１の受光素子アレイユニット３１１ａとの間の距離である第１の距離を調整する機構である。第１のネジ機構３５０ａは、図１１に示されるように、ベース３４０の載置台３４０ｂに形成されたネジ穴３５１ａと、ネジ穴３５１ａに螺合する調整用のネジ３５２ａと、を有することができる。また、図１１に示されるように、ネジ３５２ａを回すための六角レンチ、ドライバー等の道具を挿入させるために、ベース３４０の対応する位置には貫通孔３５４ａが形成されている。また、読取ヘッド３００は、ネジ穴３５１ｂ及びネジ３５２ｂを有し、第２のレンズアレイ３２０ｂと第２の受光素子アレイユニット３１１ｂとの間の距離である第２の距離を調整する第２のネジ機構３５０ｂを備えることができる。この場合も、貫通孔３５４ａと同様の貫通孔３５４ｂがベース３４０に形成されている。
【０１３６】
第１のネジ機構３５０ａ及び第２のネジ機構３５０ｂの構造及びそれらによる調整方法については、実施の形態１における第１のネジ機構５０ａ及び第２のネジ機構５０ｂについて説明した通りである。なお、貫通孔３５４ａ，３５４ｂは、調整後に封止剤で埋めておく。
【０１３７】
以上説明したように、実施の形態６によれば、複数の受光ユニット基板及び複数のレンズアレイを並べた際に、レンズアレイからの入射光を受光素子アレイユニットで受光する位置を容易に調整できるため、隣接する受光ユニット基板のつなぎ目及び隣接するレンズアレイのつなぎ目における読取精度の差を無くすことができる。
【０１３８】
また、実施の形態６に係る読取装置又はこの読取装置を備えたスキャナ装置は、例えば実施の形態５に係る画像形成装置１００に取り付けることで、画像形成装置１００を印刷機能のほかにスキャン機能及びコピー機能を持つ複合装置とすることができる。このように、実施の形態６に係る読取装置は、複合装置に備えることができる。
【符号の説明】
【０１３９】
１  露光装置、  １０ａ，１０ｅ，１０ｇ  第１の基板、  １０ａａ，１０ｅａ，１０ｇｂ  第１の基板の端面、  １０ｂ，１０ｆ，１０ｈ  第２の基板、  １０ｂａ，１０ｆａ，１０ｈｂ  第２の基板の端面、  １０ｇａ  第１の突出部、  １０ｈａ  第２の突出部、  １１ａ  第１のＬＥＤアレイユニット、  １１ａａ  第１のＬＥＤアレイユニットの端面、  １１ｂ  第２のＬＥＤアレイユニット、  １１ｂａ  第２のＬＥＤアレイユニットの端面、  １２ａ  第１のＬＥＤ、  １２ａａ  最も第２の基板側の第１のＬＥＤ、  １２ｂ  第２のＬＥＤ、  １２ｂａ  最も第１の基板側の第２のＬＥＤ、  １３ａａ，１３ｂａ，１７ｅａ，１７ｆａ，１７ｇａ，１７ｈａ  レンズホルダが接触する領域、  １３ａｂ，１３ｂｂ，１７ｅｂ，１７ｆｂ，１７ｇｂ，１７ｈｂ  カバーが接触する領域、  １４ａ，１４ｂ，１４ｅ，１４ｆ，１４ｇ，１４ｈ  ネジの当接位置を示す領域、  １４ｃ，１４ｄ  カムの当接位置を示す領域、  １５ｅａ，１５ｅｂ，１５ｇａ，１５ｇｂ  第１の切欠き部、  １５ｆａ，１５ｆｂ，１５ｈａ，１５ｈｂ  第２の切欠き部、  １６ｅａ，１６ｅｂ，１６ｆａ，１６ｆｂ，１６ｇａ，１６ｇｂ，１６ｈａ，１６ｈｂ  非レジスト領域、  １８ｅ，１８ｆ，１８ｇ，１８ｈ  板片、  ２０ａ  第１のレンズアレイ、  ２０ｂ  第２のレンズアレイ、  ３０  インターフェース基板、  ３２  コネクタ、  ３３  電子部品、  ４０  ベース、  ４０ａ  絶縁シート、  ４１，４１ｂ  レンズホルダ、  ４１ａ  切削段差部分、  ４２  カバー、  ４３  保持部、  ４４，４５，４６，４７，４９  ネジ、  ４８  封止剤、  ５０ａ  第１のネジ機構、  ５０ｂ  第２のネジ機構、  ５１ａ，５１ｂ  ネジ穴、  ５２ａ，５２ｂ  調整用のネジ、  ５４ａ，５４ｂ  貫通孔、  ５５ａ  第１のカム機構、  ５５ｂ  第２のカム機構、  ５６ａ  第１のカムの回転軸、  ５６ｂ  第２のカムの回転軸、  ５７ａ  第１のカム、  ５７ｂ  第２のカム、  ５８ａ  第１のカムのネジ溝、  ５８ｂ  第２のカムのネジ溝、  ５９  ドライバー、  １００  画像形成装置、  １１３  感光体ドラム。
【図１】
2017132182.tif 000003
【図２】
2017132182.tif 000004
【図３】
2017132182.tif 000005
【図４】
2017132182.tif 000006
【図５】
2017132182.tif 000007
【図６】
2017132182.tif 000008
【図７】
2017132182.tif 000009
【図８】
2017132182.tif 000010
【図９】
2017132182.tif 000011
【図１０】
2017132182.tif 000012
【図１１】
2017132182.tif 000013